(57)【特許請求の範囲】
【請求項１】
操作者の指示に基づいて動作する情報処理装置であって、
タッチパネル上の複数個所が同時に接触されることにより指示される複数の指示位置を検知する検知手段と、
前記指示位置を指示するために前記タッチパネル上に加えられた接触圧力の大きさを示す情報を取得する取得手段と、
前記検知手段が検知した複数の指示位置の変化に基づいて前記操作者の指示を特定する解釈手段と、
前記解釈手段が特定した指示に基づいて前記情報処理装置において実行される動作の動作量を、前記取得手段が取得した情報が示す接触圧力の大きさに対応して決定する決定手段と備え、
前記決定手段は、前記取得手段が取得した情報が示す接触圧力の大きさが、第１の値に満たない所定の大きさの範囲に含まれる場合には、前記複数の指示位置間の距離の変化に応じて表示対象を拡大または縮小させる動作における縮尺倍率を増加させ、前記取得手段が取得した情報が示す接触圧力の大きさが、前記第１の値以上の場合には、前記縮尺倍率を所定の最大縮尺倍率と決定する
ことを特徴とする情報処理装置。
【請求項２】
操作者の指示に基づいて動作する情報処理装置の制御方法であって、
検知手段により、タッチパネル上の複数個所が同時に接触されることにより指示される複数の指示位置を検知する検知工程と、
取得手段により、前記指示位置を指示するために前記タッチパネル上に加えられた接触圧力の大きさを示す情報を取得する取得工程と、
解釈手段により、前記検知工程で検知した複数の指示位置の変化に基づいて前記操作者の指示を特定する解釈工程と、
決定手段により、前記解釈工程で特定した指示に基づいて前記情報処理装置において実行される動作の動作量を、前記取得工程で取得した情報が示す接触圧力の大きさに基づいて決定する決定工程と、
を備え、
前記決定工程では、前記取得工程で取得された情報が示す接触圧力の大きさが、第１の値に満たない所定の大きさの範囲に含まれる場合には、前記複数の指示位置間の距離の変化に応じて表示対象を拡大または縮小させる動作における縮尺倍率を増加させ、前記取得工程で取得された情報が示す接触圧力の大きさが、前記第１の値以上の場合には、前記縮尺倍率を所定の最大縮尺倍率と決定する
ことを特徴とする情報処理装置の制御方法。
【請求項３】
コンピュータを、請求項１に記載の情報処理装置の各手段として機能させるためのプログラム。
【請求項４】
コンピュータを、請求項１に記載の情報処理装置の各手段として機能させるためのプログラムを格納したコンピュータ読み取り可能な記憶媒体。
【発明の詳細な説明】
【技術分野】
【０００１】
本発明は、指、ペンまたは指示棒等で指示された位置に基づいてユーザの指示を解釈して操作を行なう情報処理装置及びその方法及びそのプログラムに関するものである。
【背景技術】
【０００２】
従来、例えば、タッチパネルにおける操作において、複数の接触点の位置座標を検知することができた。
【発明の概要】
【発明が解決しようとする課題】
【０００３】
しかしながら、上記従来の装置は、固定された一点に対してもう一つの入力を未知の入力データとして検知するものであり、同時に移動する２個所以上の指示位置の軌跡をそれぞれ検知することはできなかった。
【０００４】
従って、このような同時に移動する複数の指示位置の軌跡の組合せにより表現された指示を解釈することはできなかった。
【０００５】
本発明は上述した課題を解決するためになされたものであり、同時に移動する２個所以上の指示位置の軌跡をそれぞれ検知することのできる位置情報処理装置及びその方法を提供することを目的とする。
【０００６】
また、本発明の他の目的は、２個所以上の指示位置による操作者の指示に基づいて動作する情報処理装置の動作量を、指示位置での接触圧力によって制御する技術を提供することにある。
【課題を解決するための手段】
【０００７】
上記課題を解決する為、本発明は、
操作者の指示に基づいて動作する情報処理装置であって、タッチパネル上の複数個所が同時に接触されることにより指示される複数の指示位置を検知する検知手段と、前記指示位置を指示するために前記タッチパネル上に加えられた接触圧力の大きさを示す情報を取得する取得手段と、前記検知手段が検知した複数の指示位置の変化に基づいて前記操作者の指示を特定する解釈手段と、前記解釈手段が特定した指示に基づいて前記情報処理装置において実行される動作の動作量を、前記取得手段が取得した情報が示す接触圧力の大きさに基づいて決定する決定手段とを備え、前記決定手段は、前記取得手段が取得した情報が示す接触圧力の大きさが、第１の値に満たない所定の大きさの範囲に含まれる場合には、前記複数の指示位置間の距離の変化に応じて表示対象を拡大または縮小させる動作における縮尺倍率を増加させ、前記取得手段が取得した情報が示す接触圧力の大きさが、前記第１の値以上の場合には、前記縮尺倍率を所定の最大縮尺倍率と決定することを特徴とする。
【発明の効果】
【０００８】
本発明によれば、２個所以上の指示位置間の距離の変化に応じて表示対象を拡大または縮小させる動作における縮尺倍率を、指示位置に加える接触圧力の大きさによって、指示位置間の距離の変化量から特定されるよりも大きい縮尺倍率にすることができる。
【図面の簡単な説明】
【０００９】
【図１】実施形態の情報処理装置のハードウェア構成を示すブロック図である。
【図２】タッチパネルを用いた指による位置入力の例を示す図である。
【図３】撮影装置を用いた指による位置入力の例を示す図である。
【図４】指示位置の軌跡を用いる処理の手順を示すフローチャートである。
【図５】軌跡検知処理の手順を示すフローチャートである。
【図６】組合せ特定処理の手順を示すフローチャートである。
【図７】記憶された指示位置データの例を示す図である。
【図８】取得される現在の指示位置データの例を示す図である。
【図９】複数指示位置の軌跡検知で利用されるデータの流れを示す図である。
【図１０】指示面積の大きさを利用した軌跡検知処理の手順を示すフローチャートである。
【図１１】指示面積を利用した組合せ特定処理の手順を示すフローチャートである。
【図１２】取得される現在の指示位置の面積を表した図である。
【図１３】記憶された指示位置の面積データの例を示す図である。
【図１４】指示面積の大きさを利用した処理で利用されるデータの流れを示す図である。
【図１５】複数指示位置の軌跡を用いた操作手順を示すフローチャートである。
【図１６】指示解釈処理の流れを示すフローチャートである。
【図１７】指示位置間の距離変化の取得処理の手順を示すフローチャートである。
【図１８】距離変化に基づく指示解釈処理の手順を示すフローチャートである。
【図１９】距離変化に基づく指示解釈処理の別の手順を示すフローチャートである。
【図２０】縮小操作として解釈される操作例を示す図である。
【図２１】縮小操作として解釈されるデータの例を示す図である。
【図２２】拡大操作として解釈される操作例を示す図である。
【図２３】拡大操作として解釈されるデータ例を示す図である。
【図２４】指示位置の角度変化を利用する指示解釈の手順を示すフローチャートである。
【図２５】指示位置の角度変化の取得処理の手順を示すフローチャートである。
【図２６】角度変化に基づく指示解釈処理の手順を示すフローチャートである。
【図２７】右回転操作として解釈される操作例を示す図である。
【図２８】右回転操作として解釈されるデータの例を示す図である。
【図２９】左回転操作として解釈される操作例を示す図である。
【図３０】左回転操作として解釈されるデータの例を示す図である。
【図３１】固定指示位置と移動指示位置の関係を利用する指示解釈処理の手順を示すフローチャートである。
【図３２】固定指示位置検出処理の手順を示すフローチャートである。
【図３３】移動方向に基づく指示解釈処理の手順を示すフローチャートである。
【図３４】指示位置移動方向判定処理の手順を示すフローチャートである。
【図３５】指示位置移動方向判定処理で利用される角度の解釈について示す図である。
【図３６】左移動操作として解釈される操作例を示す図である。
【図３７】左移動操作として解釈されるデータの例を示す図である。
【図３８】上移動操作として解釈される操作例を示す図である。
【図３９】上移動操作として解釈されるデータの例を示す図である。
【図４０】下移動操作として解釈される操作例を示す図である。
【図４１】下移動操作として解釈されるデータの例を示す図である。
【図４２】右移動操作として解釈される操作例を示す図である。
【図４３】右移動操作として解釈されるデータを示す図である。
【図４４】固定指示位置と移動指示位置との距離変化を利用する指示解釈処理の手順を示すフローチャートである。
【図４５】指示位置間距離変化に基づく指示解釈処理の手順を示すフローチャートである。
【図４６】縮小操作として解釈される操作例を示す図である。
【図４７】縮小操作として解釈されるデータの例を示す図である。
【図４８】拡大操作として解釈される操作例を示す図である。
【図４９】拡大操作として解釈されるデータの例を示す図である。
【図５０】固定指示位置を中心とした縮小操作として解釈される操作例を示す図である。
【図５１】固定指示位置を中心とした縮小操作として解釈されるデータの例を示す図である。
【図５２】移動指示位置間の距離を利用する処理の手順を示すフローチャートである。
【図５３】移動指示位置間の距離変化に基づく指示解釈処理の手順を示すフローチャートである。
【図５４】縮小操作として解釈される操作例を示す図である。
【図５５】縮小操作として解釈されるデータの例を示す図である。
【図５６】拡大操作として解釈される操作例を示す図である。
【図５７】拡大操作として解釈されるデータを示す図である。
【図５８】複数移動指示操作として解釈される操作例を示す図である。
【図５９】複数移動指示操作として解釈されるデータを示す図である。
【図６０】指示位置間の角度変化を利用する処理の手順を示すフローチャートである。
【図６１】指示位置間の角度変化に基づく指示解釈処理の手順を示すフローチャートである。
【図６２】右回転操作として解釈される操作例を示す図である。
【図６３】右回転操作として解釈されるデータの例を示す図である。
【図６４】左回転操作として解釈される操作例を示す図である。
【図６５】左回転操作として解釈されるデータの例を示す図である。
【図６６】移動指示位置の角度変化を利用する処理の手順を示すフローチャートである。
【図６７】移動指示位置の角度変化に基づく指示解釈処理の手順を示すフローチャートである。
【図６８】右回転操作として解釈される操作例を示す図である。
【図６９】右回転操作として解釈されるデータの例を示す図である。
【図７０】左回転操作として解釈される操作例を示す図である。
【図７１】左回転操作として解釈されるデータの例を示す図である。
【図７２】重心を中心とした回転操作として解釈される操作例を示す図である。
【図７３】重心を中心とした回転操作として解釈されるデータの例を示す図である。
【図７４】指示位置間の位置関係を利用する処理の手順を示すフローチャートである。
【図７５】指示位置間の位置関係判定処理の手順を示すフローチャートである。
【図７６】指示位置間の位置関係に基づく指示解釈処理の手順を示すフローチャートである。
【図７７】上下移動操作として解釈される操作例を示す図である。
【図７８】上下移動操作として解釈されるデータの例を示す図である。
【図７９】左右移動操作として解釈される操作例を示す図である。
【図８０】左右移動操作として解釈されるデータを示す図である。
【図８１】指示位置間の位置関係に基づく指示解釈処理の手順を示すフローチャートである。
【図８２】位置関係変化に基づく指示解釈処理の手順を示すフローチャートである。
【図８３】指示位置間関係変化取得処理の手順を示すフローチャートである。
【図８４】反転操作として解釈される操作例を示す図である。
【図８５】反転操作として解釈されるデータ例を示す図である。
【図８６】左右反転操作として解釈される操作例を示す図である。
【図８７】左右反転操作として解釈されるデータ例を示す図である。
【図８８】上下反転操作として解釈される操作例を示す図である。
【図８９】上下反転操作として解釈されるデータ例を示す図である。
【図９０】指示位置間の位置関係判定処理の手順を示すフローチャートである。
【図９１】固定指示位置に対する位置関係に基づく指示解釈処理の手順を示すフローチャートである。
【図９２】固定指示位置に対する位置関係に基づく指示解釈処理の詳細手順を示すフローチャートである。
【図９３】固定指示位置に対する位置関係判定処理の手順を示すフローチャートである。
【図９４】指示位置移動方向取得処理の手順を示すフローチャートである。
【図９５】移動方向が同一である時に、位置関係によりそれぞれ解釈が異なる二つの操作例を示す図である。
【図９６】次項目操作として解釈されるデータ例を示す図である。
【図９７】固定指示位置と移動指示位置との位置関係に基づく処理の手順を示すフローチャートである。
【図９８】固定指示位置と移動指示位置との位置関係判定処理の手順を示すフローチャートである。
【図９９】指示位置間関係判定処理の手順を示すフローチャートである。
【図１００】指示位置間関係変化取得処理の手順を示すフローチャートである。
【図１０１】固定指示位置と移動指示位置との位置関係に基づく指示解釈処理の手順を示すフローチャートである。
【図１０２】対称反転として解釈される操作例を示す図である。
【図１０３】対称反転操作として解釈される場合のデータ例を示す図である。
【図１０４】固定指示位置が三個所以上ある場合の処理の流れを示すフローチャートである。
【図１０５】複数固定指示位置に対する移動指示位置の位置関係判定処理の手順を示すフローチャートである。
【図１０６】指示位置間関係取得処理の手順を示すフローチャートである。
【図１０７】領域内であるとして解釈される操作例を示す図である。
【図１０８】領域内であるとして解釈される操作のデータ例を示す図である。
【図１０９】指示位置間の位置関係変化の取得処理の手順を示すフローチャートである。
【図１１０】領域外移動として解釈される操作例を示す図である。
【図１１１】領域外移動として解釈される操作のデータ例を示す図である。
【図１１２】複数固定指示位置と移動指示位置との位置関係に基づく指示解釈処理の手順を示すフローチャートである。
【図１１３】固定指示位置間領域内への属性付与として解釈される操作例を示す図である。
【図１１４】固定指示位置間領域内への属性付与として解釈される操作のデータ例を示す図である。
【図１１５】複数指示位置の指示位置数変化を用いた指示解釈処理の手順を示すフローチャートである。
【図１１６】初期指示位置数変化に基づく指示解釈処理の手順を示すフローチャートである。
【図１１７】操作対象指定途中として解釈される場合の操作例を示す図である。
【図１１８】操作対象指定途中として解釈される場合の操作のデータ例を示す図である。
【図１１９】指示位置数変化に基づく指示解釈処理の手順を示すフローチャートである。
【図１２０】初期指示位置を基準にした指示解釈処理の手順を示すフローチャートである。
【図１２１】指示位置を中心とした回転操作として解釈される場合の操作例を示す図である。
【図１２２】指示位置を中心とした回転操作として解釈される場合のデータ例を示す図である。
【図１２３】最終指示位置数変化を用いた処理の手順を示すフローチャートである。
【図１２４】最終指示位置数変化に基づく指示解釈処理の手順を示すフローチャートである。
【図１２５】直前の操作に対するキャンセル指示として解釈される場合の操作例を示す図である。
【図１２６】直前の操作に対するキャンセル指示として解釈される場合の操作のデータ例を示す図である。
【図１２７】指示軌跡以外の指示情報を用いた処理の手順を示すフローチャートである。
【図１２８】指示軌跡以外の指示情報を用いた処理の手順を示すフローチャートである
【図１２９】全指示位置数を用いた処理の手順を示すフローチャートである。
【図１３０】指示位置数を用いた指示解釈処理の手順を示すフローチャートである。
【図１３１】ページめくり操作として解釈される操作例を示す図である。
【図１３２】ページめくり操作として解釈されるデータ例を示す図である。
【図１３３】指示軌跡以外の指示情報として指示位置移動速度を取得する処理の手順を示すフローチャートである。
【図１３４】指示位置移動速度取得処理の手順を示すフローチャートである。
【図１３５】指示位置移動速度に基づく指示解釈処理の手順を示すフローチャートである。
【図１３６】指示位置移動速度を用いてページめくり操作として解釈される場合の操作例を示す図である。
【図１３７】指示位置移動速度を用いてページめくり操作として解釈される場合のデータ例を示す図である。
【図１３８】指示軌跡以外の指示情報として指示位置接触圧力を用いた処理の手順を示すフローチャートである。
【図１３９】指示位置接触圧力に基づく指示解釈処理の手順を示すフローチャートである。
【図１４０】指示位置接触圧力により画面移動操作として解釈される操作例を示す図である。
【図１４１】指示位置接触圧力により画面移動操作として解釈されるデータ例を示す図である。
【図１４２】複数指示位置の移動距離を用いた処理の手順を示すフローチャートである。
【図１４３】複数指示位置の移動距離に基づく指示解釈処理の手順を示すフローチャートである。
【図１４４】複数指示位置の移動距離を用いたページめくり操作として解釈される場合の操作例を示す図である。
【図１４５】複数指示位置の移動距離を用いたページめくり操作として解釈される場合のデータ例を示す図である。
【図１４６】複数指示位置の不動時間に着目した場合の処理の手順を示すフローチャートである。
【図１４７】範囲指定操作として解釈される場合の操作例を示す図である。
【図１４８】範囲指定操作として解釈される場合のデータ例を示す図である。
【図１４９】指定範囲に対する拡大操作として解釈される操作例を示す図である。
【図１５０】指定範囲に対する拡大操作として解釈されるデータ例を示す図である。
【発明を実施するための形態】
【００１０】
以下、添付図面を参照しながら、本発明に係る好適な一実施例を詳細に説明する。
【００１１】
図１は、本実施形態に係る情報処理装置のハードウェア構成を示すブロック図である。
同図において、入力部１は、指示位置により情報を入力するためのタッチパネルなどである。ＣＰＵ２は、各種処理のための演算、論理判断等を行ない、バス６に接続された各構成要素を制御する。出力部３は、情報を表示するディスプレイや情報を印刷するプリンタ、情報を送信するモデムなどである。
【００１２】
プログラムメモリ４は、フローチャートにつき後述する処理手順を含む、ＣＰＵ２による制御のためのプログラムを格納するメモリである。プログラムメモリ４は、ＲＯＭであってもよいし、外部記憶装置などからプログラムがロードされるＲＡＭであってもよい。      
【００１３】
データメモリ５は、各種処理で生じたデータを格納するほか、後述する知識ベースの知識を格納する。データメモリ５は、例えばＲＡＭとしてよいが、知識ベースの知識は、不揮発な外部記憶媒体から、処理に先立ってロードしておく、あるいは、必要があるごとに参照するものとする。
【００１４】
バス６は、ＣＰＵ２の制御の対象とする構成要素を指示するアドレス信号、各構成要素を制御するためのコントロール信号、各構成機器相互間でやりとりされるデータの転送を行なう。
【００１５】
〔実施形態１〕
図２は、タッチパネルを用いた指による位置入力の例を示す図である。同図に示すように、指の接触した２点Ａ、Ｂのそれぞれの始点から終点までの軌跡により、２点の関係を取得して入力を理解する。
【００１６】
例１（平行方向）のように、各点の距離が変化せず、軌跡が平行になる場合がある。このような入力の例としては、対象物の平行移動などが考えられる。
【００１７】
例２（内側方向）のように、各点の軌跡が他方の点に向っている場合がある。このような入力の例としては、対象物の縮小または最小化などが考えられる。
【００１８】
逆に、例３（外側方向）のように、各点の軌跡が他方から離れていく場合がある。このような入力の例としては、対象物の拡大または最大化などが考えられる。
【００１９】
図３は、カメラなどの撮影装置を用いた指による位置入力の例を示す図である。ここでは、上述したタッチパネルに直接触れて指示を与える代わりに、カメラ３０１の有効領域３０２内で３０３及び３０４に示すように指先を動かすことにより、撮像した指示先（指先）位置を認識することで、指示位置を検知している。
【００２０】
図４は、指示位置の軌跡を用いる処理の手順を示すフローチャートである。同図において、ステップＳ４０１で入力が検知されると、次のステップＳ４０２で終了が検知されない場合には、ステップＳ４０３に進み、軌跡検知処理が起動される。続いてステップＳ４０４において、検知した軌跡を入力情報として対応した処理が起動される。
【００２１】
図５は、ステップＳ４０３の軌跡検知処理の手順を示すフローチャートである。ステップＳ５０１で指示位置検知処理が実行され、現在の指示位置の座標データが取得される。次にステップＳ５０２で組合せ特定処理が実行され、現在の各指示位置とそれぞれに最も近い直前の指示位置との組合せが特定される。続くステップＳ５０３で指示位置記憶処理が実行され、現在の指示位置を最適な指示位置データテーブル（最も近い直前の位置と同じテーブル）に格納する。
【００２２】
図６は、ステップＳ５０２の組合せ特定処理の手順を示すフローチャートである。同図において、ステップＳ６０１で、現在の指示位置の１つと直前の指示位置のそれぞれとの距離を求める処理が起動され、次のステップＳ６０２で、現在の指示位置と最も距離の短い直前の指示位置との組合せを特定する。続くステップＳ６０３で、該当する組合せがあった場合にはステップＳ６０４に進み、組となる直前の指示位置と同じテーブルに、現在の指示位置を追加する。これをステップＳ６０３において該当する組合せが無くなるまで繰り返す。
【００２３】
図７は、軌跡検知処理により記憶された指示位置データの例を示す図である。同図において、グラフ７０１のように時刻ｔ１における点Ａｔ１のＸＹ座標は（３，３）であり、時刻ｔ５における点Ａｔ５のＸＹ座標は（７，５）であり、この間ｔ１からｔ５に対応する点Ａ、Ｂの座標データがそれぞれテーブル７０２、７０３に格納されている。
【００２４】
図８は、軌跡検知処理により取得される現在の指示位置データの例を示す図である。同図において、グラフ８０１のように、現在の時刻ｔ６において、複数箇所の指示位置として、ＸＹ座標（８，６）である点ａと、ＸＹ座標（８，８）である点ｂが存在し、取得された現在（ｔ６）の位置データがテーブル８０２に格納されている。
【００２５】
図９は、複数指示位置の軌跡検知処理で利用されるデータの流れを示す図である。同図において、テーブル９０１に、現在の指示位置データとして点ａ（８，６）及び点ｂ（８，８）が取得されており、この現在の指示位置データを参照し、テーブル９０２に、現在の指示位置である各点に対して、直前の各指示位置との距離を取得する。この場合、例えば、点ａに対して直前の指示位置Ａｔ５との距離１．４１４、直前の指示位置Ｂｔ５との距離４．１２３が取得される。
【００２６】
その結果、点ａは、最も距離の近い直前の指示位置Ａｔ５と同じテーブル９０３に格納される。点ｂにも同様に、直前の指示位置Ｂｔ５と同じテーブル９０４に格納される。
【００２７】
図１０は、指示面積の大きさを利用した軌跡検知処理の手順を示すフローチャートである。上述の例では、現在の各指示位置が、直前の複数の指示位置の中で距離の最も近い位置に対応するとして軌跡を求めたが、ここでは、現在の各指示位置が、直前の複数の指示位置の中で指示面積（例えば、タッチパネルにおける指の接触面積）が最も近位置に対応するとして軌跡を求める。
【００２８】
同図において、ステップＳ１００１で指示面積検知処理が起動され、現在の指示面積が取得される。次にステップＳ１００２で組合せ特定処理が起動され、直前の指示面積との差分より現在の指示面積に最も近い直前の指示面積との組合せが特定される。続いてステップＳ１００３で、指示面積記憶処理が起動され、現在の指示面積データが最適なテーブル（現在の指示面積に最も近い直前の指示面積が格納されたテーブル）に格納される。
【００２９】
図１１は、ステップＳ１００２における、指示面積の大きさを利用した組合せ特定処理の手順を示すフローチャートである。同図において、ステップＳ１１０１で、現在の指示位置の面積と直前の各指示位置の面積との差分を求める処理が起動され、次のステップＳ１１０２で、現在の指示位置と最も面積の近い直前の指示位置との組合せを特定する。続くステップＳ１１０３で該当する組合せがあった場合にはステップＳ１１０４に進み、最も面積の近い直前の指示位置と指示面積とのテーブルに、現在の指示位置と指示面積とを追加する。これをステップＳ１１０３において該当する組合せが無くなるまで繰り返す。
【００３０】
図１２は、取得される現在の指示位置の面積の例を示す図である。グラフ１２０１において、現在の指示位置が点ａ（８，６）にあり、点ａを指示した時のタッチパネルの接触の様子を示したのが拡大図１２０２である。その結果、指示位置の面積が求められる。
【００３１】
図１３は、記憶された指示位置の面積データの例を示す図である。同図において、グラフ１３０１のように、時刻ｔ１における指示位置点Ａｔ１のＸＹ座標は（３，３）、指示位置点Ｂｔ１のＸＹ座標は（１２，１４）であり、時刻ｔ５における指示位置点Ａｔ５のＸＹ座標は（７，５）、指示位置点Ｂｔ５のＸＹ座標は（８，８）である。更に、現在の時刻ｔ６において、現在の指示面積として点ａ（８，６）を含む指示面積１と、点ｂ（８，８）を含む指示面積２とが存在する。
【００３２】
また、テーブル１３０２において、時刻ｔ１における点Ａの面積は１２．５であり、続いて時刻ｔ２からｔ５に対応する点Ａの面積データが格納されている。同様に、テーブル１３０３に、点Ｂの各時刻の面積データが格納されている。更に、テーブル１３０４に、取得された現在時刻ｔ６の指示面積データとして点ａを含む面積データ１１．５、及び点ｂを含む面積データ２０．０が格納されている。
【００３３】
図１４は、指示面積の大きさを利用した軌跡取得処理で利用されるデータの流れを示す図である。同図において、テーブル１４０１に、現在の指示面積データとして、点ａ（８，６）を含む面積１１．５と、点ｂ（８，８）を含む面積２０．０とが取得されており、現在の指示位置の面積データを参照し、テーブル１４０２に、各面積データと直前の各指示位置の面積データとの差分を取得する。ここでは、点ａを含む指示面積１１．５に対して、直前の指示面積Ａとの差分０．５、及び直前の指示面積Ｂとの差分９．０が取得される。
【００３４】
その結果、点ａを含む指示面積データ１１．５は、最も差分の小さい直前の指示面積Ａと同じテーブル１４０３に格納される。また、点ｂを含む指示面積データも同様にして、直前の指示面積Ｂと同じテーブル１４０４に格納される。
【００３５】
〔実施形態２〕
本実施形態では、取得された２個所以上の指示位置の移動軌跡の組み合わせから、行うべき操作を解釈する処理について具体的に説明する。
【００３６】
図１５は、複数指示位置の軌跡を用いた操作手順を示すフローチャートである。同図において、ステップＳ１５０１で入力が検知されると、次のステップＳ１５０２で終了が検知されない場合には、ステップＳ１５０３に進み、移動軌跡検知処理が起動される。次に、ステップＳ１５０４で指示解釈処理が起動され、続いてステップＳ１５０５において指示に対応した処理が起動される。
【００３７】
図１６は、ステップＳ１５０４における指示解釈処理の手順を示すフローチャートである。同図において、ステップＳ１６０１で指示位置間距離測定処理が起動され、現在の指示位置間の距離が測定される。次に、ステップＳ１６０２に進み、指示位置間の距離変化の取得処理が起動され、指示位置間の距離の変化を取得する。続いてステップＳ１６０３で、距離変化に基づく指示解釈処理が起動され、取得された距離変化に応じて行なうべき操作を解釈する。
【００３８】
図１７は、ステップＳ１６０２における指示位置間の距離変化の取得処理の手順を示すフローチャートである。同図において、ステップＳ１７０１で移動開始時の指示位置間の距離が測定され、続いてステップＳ１７０２で移動終了時の指示位置間の距離が測定される。次にステップＳ１７０３に進み、移動開始時の指示位置間の距離と、移動終了時の指示位置間の距離との差分が取得される。
【００３９】
図１８は、ステップＳ１６０３における距離変化に基づく指示解釈処理の手順を示すフローチャートである。同図において、ステップＳ１８０１において、変化量が０より小さかった場合には縮小操作と解釈される（ステップＳ１８０２）。同様に変化量が０より大きかった場合には、拡大操作と解釈され（ステップＳ１８０３）、変化量が０に等しい場合には、縮小または拡大操作以外であると解釈される（ステップＳ１８０４）。
【００４０】
図１９は、距離変化に基づく指示解釈処理の別の手順を示すフローチャートである。同図において、ステップＳ１９０１において、指示位置間の距離変化の取得処理により取得された距離変化より操作倍率が取得される。次に、ｓ１９０２において変化率が取得され、続いてステップＳ１９０３で操作倍率と変化率データより実倍率が取得される。
【００４１】
計算式：実倍率＝１００−（１００−操作倍率Ｘ）×変化率α
図２０は、縮小操作として解釈される操作例を示す図である。同図において、移動開始時ｔ１における指示位置点Ａ及び点Ｂから、移動終了時ｔ５における指示位置点Ａ’及び点Ｂ’へと変化した場合、縮小操作であると解釈される。
【００４２】
図２１は、縮小操作として解釈されるデータの例を示す図である。同図において、グラフ２１０１の各指示位置のＸＹ座標は、移動開始時ｔ１では点Ａｔ１（３，３），  点Ｂｔ１（１２，１０）、移動終了時ｔ５では点Ａｔ５（７，５）、点Ｂｔ５（８，６）である。この時、テーブル２１０２に示すように、指示位置Ａ，Ｂ間の距離は移動開始時ｔ１では１５．０００、移動終了時ｔ６では１．１１８であり、移動開始時ｔ１から移動終了時ｔ５の間の指示位置間の距離の変化量は−１３．８８２である。また、移動開始時ｔ１から移動終了時ｔ５の間の指示位置間の距離変化の倍率は７％である。
【００４３】
図２２は、拡大操作として解釈される操作例を示す図である。同図において、移動開始時ｔ１の指示位置点Ａ及び点Ｂから、移動終了時ｔ５の指示位置点Ａ’及び点Ｂ’へと変化した場合、拡大操作であると解釈される。
【００４４】
図２３は、拡大操作として解釈されるデータの例を示す図である。同図において、グラフ２３０１のように各指示位置のＸＹ座標は、移動開始時ｔ１では点Ａｔ１（７，５）、点Ｂｔ１（８，６）、移動終了時ｔ５では点Ａｔ５（３，３）、点Ｂｔ５（１２，１０）である。この時、テーブル２３０２に示すように、指示位置Ａ，Ｂ間の距離は移動開始時ｔ１では１．１１８、移動終了時ｔ６では１１．４０２であり、移動開始時ｔ１から移動終了時ｔ５の間の指示位置間の距離の変化量は＋１３．５８６である。また、移動開始時ｔ１から移動終了時ｔ５の間の指示位置間の距離変化の倍率は１０２０％である。
【００４５】
〔実施形態３〕
本実施形態では、取得された２個所以上の指示位置の移動軌跡の組み合わせから、行うべき操作を解釈する際に、２つの指示位置を結ぶ線と基準線とのなす角の角度（以下、単に指示位置の角度と称する）の変化に着目した例について具体的に説明する。
【００４６】
図２４は、指示位置の角度変化を利用する指示解釈処理の流れを示す図である。同図において、ステップＳ２４０１で指示位置の角度の測定処理が起動され、各時点において、指示位置の角度が測定される。次に、ステップＳ２４０２に進み、指示位置角度変化取得処理が起動され、指示位置を結ぶ線の角度の変化を取得する。続いて、ステップＳ２４０３で角度変化に基づく指示解釈処理が起動され、取得された角度変化に応じて行なうべき操作を解釈する。
【００４７】
図２５は、指示位置の角度変化の測定処理の手順を示すフローチャートである。同図において、ステップＳ２５０１で移動開始時の指示位置を結ぶ線の角度が測定され、続いてステップＳ２５０２で移動終了時の指示位置を結ぶ線の角度が測定される。次に、ステップＳ２５０３に進み、移動開始時の指示位置を結ぶ線の角度と、移動終了時の指示位置を結ぶ線の角度との差分が取得される。
【００４８】
図２６は、角度変化に基づく指示解釈処理の手順を示すフローチャートである。同図において、ステップＳ２６０１で、変化量が０°より大きかった場合には、左回転操作として解釈される（ステップＳ２６０２）。同様に変化量が０°より小さかった場合には右回転操作として解釈され（ステップＳ２６０３）、変化量が０°に等しい場合には回転操作以外であると解釈される（ステップＳ２６０４）。
【００４９】
図２７は、右回転操作として解釈される操作例を示す図である。同図において、移動開始時ｔ１の指示位置点Ａ及び点Ｂから、移動終了時ｔ５の指示位置点Ａ’及び点Ｂ’へと変化した場合、右回転操作であると解釈される。
【００５０】
図２８は、指示位置を結ぶ線の角度及びその変化データのうち、右回転操作として解釈されるデータ例を示す図である。同図において、グラフ２８０１のように指示位置ＡＢ間の角度は、移動開始時ｔ１では、Ｘ軸に対して６０度であり、移動終了時ｔ５では２６度である。この時、テーブル２８０２のように、移動開始時ｔ１から移動終了時ｔ５の間の指示位置間の角度の変化量は−３４°である。
【００５１】
図２９は、左回転操作として解釈される操作例を示す図である。移動開始時ｔ１の指示位置点Ａ及び点Ｂから、移動終了時ｔ５の指示位置点Ａ’及び点Ｂ’へと変化した場合、左回転操作であると解釈される。
【００５２】
図３０は、指示位置を結ぶ線の角度及びその変化を示すデータのうち、左回転操作として解釈されるデータの例を示す図である。同図において、グラフ３００１のように指示位置ＡＢ間の角度は、移動開始時ｔ１では、Ｘ軸に対して６０度であり、移動終了時ｔ５では８７度である。この時、テーブル３００２のように、移動開始時ｔ１から移動終了時ｔ５の間の指示位置間の角度の変化量は＋２７°である。
【００５３】
〔実施形態４〕
本実施形態では、取得された２個所以上の指示位置の移動軌跡の組み合わせから行うべき操作を解釈する際に、固定指示位置と移動指示位置との関係の変化に着目した例について具体的に説明する。
【００５４】
図３１は、固定指示位置と移動指示位置の関係を利用する指示解釈処理の手順を示すフローチャートである。同図において、ステップＳ３１０１で固定指示位置検出処理が起動され、固定指示位置が検出される。次に、ステップＳ３１０２に進み、固定指示位置に基づく指示解釈処理が起動され、行なうべき操作を解釈する。
【００５５】
図３２は、ステップＳ３１０１における固定指示位置検出処理の手順を示すフローチャートである。同図において、固定指示位置検出処理が起動されると、ステップＳ３２０１で時刻ｔの指示位置が検出され、続くステップＳ３２０２で位置データが存在する場合には、次のステップＳ３２０３に進み、指示位置の初期値と比較する。その結果、位置データが一致しなかった場合には、ステップＳ３２０４で指示位置は移動していると判断される。位置データが一致した場合にはステップＳ３２０５に進み、時刻ｔを進めて、再びステップＳ３２０１から繰り返す。そして、ステップＳ３２０２において位置データが存在しない場合にはステップＳ３２０６で指示位置は固定と判断され、固定指示位置が検出される。
【００５６】
図３３は、移動方向に基づく指示解釈処理の手順を示すフローチャートである。同図において、ステップＳ３３０１で指示位置移動方向判定処理が起動され、移動指示位置の移動方向が判定される。次にステップＳ３３０２で、判定された移動方向に基づき指示操作を解釈する。
【００５７】
移動方向が上であった場合には、ステップ３３０３に進み、次項目操作として解釈する。また、この他に次ページ操作、または次画面操作、または末尾行操作、または上画面移動操作、または上下方向のみの拡大操作、または上下方向のみの縮小操作、として解釈される場合もある。移動方向が下であった場合には、ステップ３３０４に進み、前項目操作として解釈する。また、この他に前ページ操作、または前画面操作、または先頭行操作、または下画面移動操作、または上下方向のみの拡大操作、または上下方向のみの縮小操作、として解釈される場合もある。
【００５８】
移動方向が左であった場合には、ステップ３３０５に進み、次項目操作として解釈する。また、この他に次ページ操作、または次画面操作、または末尾行操作、または左画面移動操作、または左右方向のみの拡大操作、または左右方向のみの縮小操作、として解釈される場合もある。移動方向が右であった場合には、ステップ３３０６に進み、前項目操作として解釈する。また、この他に前ページ操作、または前画面操作、または先頭行操作、または右画面移動操作、または左右方向のみの拡大操作、または左右方向のみの縮小操作、として解釈される場合もある。
【００５９】
図３４は、ステップＳ３３０１の指示位置移動方向判定処理の手順を示すフローチャートである。同図において、ステップＳ３４０１で指示位置の移動量が取得され、次のステップＳ３４０２で、移動指示位置の現在座標より移動方向が判定される。その際、移動指示位置の現在座標（Ｘ，Ｙ）のａｒｃｔａｎｇｅｎｔを求め、単位をラジアンから度数に変換する。
【００６０】
図３５は、指示位置移動方向判定処理で利用される角度の解釈について表す図である。同図において、３５０１のように、Ｘ軸を基準に３６０°をＹ軸正方向  ０°〜１８０、Ｙ軸負方向−１°〜−１７９°に分けている。
【００６１】
これに従い、０°を中心として±３５°（−３５°〜３５°）を右方向として解釈し、９０°を中心として±３５°（６５°〜１３５°）を上方向として解釈し、１８０°を中心として±３５°（１５５°〜１８０°及び−１７９°〜−１４５°）を左方向として解釈し、−９０°を中心として±３５°（−６５°〜−１３５°）を下方向として解釈する。また、それぞれ４５°，１３５°，−１３５°，−４５°を中心とした±１０°の範囲については、それ以外の操作であると解釈する。
【００６２】
図３６は、左移動操作として解釈される操作例を示す図である。同図において、固定指示位置点Ａが固定されており、移動指示位置点ＢがＢｔ１から点Ｂｔ５へと移動した場合、左移動操作であると解釈される。
【００６３】
図３７は、左移動操作として解釈されるデータの例を示す図である。同図において、グラフ３７０１のように固定指示位置の座標は点Ａ（３，３）であり、移動指示位置の座標は移動開始時ｔ１では点Ｂｔ１（６，３）、移動終了時ｔ５では点Ｂｔ５（４，２）である。テーブル３７０２は、ｔ１からｔ５における、固定指示位置点Ａ及び、移動指示位置点Ｂの位置データを示すものである。３７０３は、指示位置移動データを示すものであり、移動終了時ｔ５の指示位置の移動量は固定指示位置点Ａが０、移動指示位置点Ｂが２．２３６であり、また移動方向は−１５３．４３°である。
【００６４】
図３８は、上移動操作として解釈される操作例を示す図である。同図において、固定指示位置点Ａが固定されており、移動指示位置点ＢがＢｔ１から点Ｂｔ５へと移動した場合、上移動操作であると解釈される。
【００６５】
図３９は、上移動操作として解釈される場合のデータの例を示す図である。同図において、グラフ３９０１のように固定指示位置の座標は点Ａ（６，６）であり、移動指示位置の座標は移動開始時ｔ１では点Ｂｔ１（５，１）、移動終了時ｔ５では点Ｂｔ５（７，４）である。テーブル３９０２は、ｔ１からｔ５における、固定指示位置点Ａ及び、移動指示位置点Ｂの位置データを示すものである。テーブル３９０３は、指示位置移動データを示すものであり、移動終了時ｔ５の指示位置の移動量は固定指示位置点Ａが０、移動指示位置点Ｂが３．６０６であり、また移動方向は５６．３１°である。
【００６６】
図４０は、下移動操作として解釈される操作例を示す図である。同図において、固定指示位置点Ａが固定されており、移動指示位置点ＢがＢｔ１から点Ｂｔ５へと移動した場合、下移動操作であると解釈される。
【００６７】
図４１は、下移動操作として解釈されるデータの例を示す図である。同図において、グラフ４１０１のように固定指示位置の座標は点Ａ（３，３）であり、移動指示位置の座標は移動開始時ｔ１では点Ｂｔ１（５，８）、移動終了時ｔ５では点Ｂｔ５（５，５）である。テーブル４１０２は、ｔ１からｔ５における、固定指示位置点Ａ及び、移動指示位置点Ｂの位置データを示すものである。テーブル４１０３は、指示位置移動データを示すものであり、移動終了時ｔ５の時点での指示位置の移動量は固定指示位置点Ａが０、移動指示位置点Ｂが３．０００であり、また移動方向は−９０°である。
【００６８】
図４２は、右移動操作として解釈される操作例を示す図である。同図において、固定指示位置Ａが固定されており、移動指示位置点Ｂが４２０１のようにＢｔ１から４２０２のように点Ｂｔ５へと移動した場合、右移動操作であると解釈される。
【００６９】
図４３は、右移動操作として解釈されるデータの例を示す図である。同図において、グラフ４３０１のように固定指示位置の座標は点Ａ（６，６）であり、移動指示位置の座標は移動開始時ｔ１では点Ｂｔ１（２，６）、移動終了時ｔ５では点Ｂｔ５（５，５）である。テーブル４３０２は、ｔ１からｔ５における、固定指示位置点Ａ及び、移動指示位置点Ｂの位置データを示すものである。テーブル４３０３は、指示位置移動データを示すものであり、移動終了時ｔ５の指示位置の移動量は固定指示位置点Ａが０、移動指示位置点Ｂが３．１６２であり、また移動方向は−１８．４３°である。
【００７０】
〔実施形態５〕
本実施形態では、取得された２個所以上の指示位置の移動軌跡の組み合わせから行うべき操作を解釈する際に、固定指示位置と移動指示位置との距離変化に着目した例について具体的に説明する。
【００７１】
図４４は、固定指示位置と移動指示位置との距離変化を利用する指示解釈処理の手順を示すフローチャートである。同図において、指示解釈処理が起動されると、ステップＳ４４０１で指示位置間距離測定処理が起動され、固定指示位置と移動指示位置との各時点の距離が測定される。次にステップＳ４４０２に進み、指示位置間距離変化取得処理によって、指示位置間の距離変化が取得される。続くステップＳ４４０３で、指示位置距離変化に基づく指示解釈処理が起動され、取得された指示位置間の距離変化に対応して、行なうべき操作を解釈する。
【００７２】
図４５は、ステップＳ４４０３の指示位置間距離変化に基づく指示解釈処理の手順を示すフローチャートである。同図において、ステップＳ４５０１で変化量が判断され、変化量が減少傾向にある場合には縮小操作として解釈し（ステップＳ４５０２）、変化量が増加傾向にある場合には拡大操作として解釈する（ステップＳ４５０３）。
【００７３】
図４６は、縮小操作として解釈される操作例を示す図である。同図において、固定指示位置（点Ａ）が固定されており、移動指示位置（点Ｂ）が、点Ｂｔ１から固定指示位置（点Ａ）の方向にある点Ｂｔ５へと移動した場合、縮小操作であると解釈される。
【００７４】
図４７は、縮小操作として解釈される場合のデータの例を示す図である。同図において、グラフ４７０１のように固定指示位置の座標は点Ａ（３，３）であり、移動指示位置の座標は移動開始時ｔ１では点Ｂｔ１（６，３）、移動終了時ｔ５では点Ｂｔ５（４，２）である。テーブル４７０２は、時刻ｔ１からｔ５における、固定指示位置点Ａ及び、移動指示位置点Ｂの位置データを示すものである。テーブル４７０３は、指示位置間の距離変化データを示すものであり、移動開始時ｔ１の指示位置ＡＢ間の距離は３．０００であり、移動終了時ｔ５の指示位置ＡＢ間の距離は１．４１４であり、指示位置ＡＢ間の距離のｔ１からｔ５に対する倍率は４７％である。
【００７５】
図４８は、拡大操作として解釈される操作例を示す図である。同図において、固定指示位置点Ａが固定されており、移動指示位置点ＢがＢｔ１から固定指示位置点Ａとは反対の方向にある点Ｂｔ５へと移動した場合、拡大操作であると解釈される。
【００７６】
図４９は、縮小操作として解釈される場合のデータの例を示す図である。同図において、グラフ４９０１のように固定指示位置の座標は点Ａ（３，３）であり、移動指示位置の座標は移動開始時ｔ１では点Ｂｔ１（４，２）、移動終了時ｔ５では点Ｂｔ５（６，３）である。テーブル４９０２は、ｔ１からｔ５における、固定指示位置点Ａ及び、移動指示位置点Ｂの位置データを示すものである。テーブル４９０３は、固定指示位置間の距離変化データを示すものであり、移動開始時ｔ１の指示位置ＡＢ間の距離は１．４１４であり、移動終了時ｔ５の指示位置ＡＢ間の距離は３．０００であり、指示位置ＡＢ間の距離のｔ１からｔ５に対する倍率は２１２％である。
【００７７】
図５０は、固定指示位置を中心とした縮小操作として解釈される操作例を示す図である。同図において、固定指示位置点Ａが固定されており、５００１のように移動指示位置１点Ｂｔ１及び移動指示位置２点Ｃｔ１があり、５００２のように固定指示位置点Ａの方向に向かって、移動指示位置１点Ｂｔ１がＢｔ５へ、移動指示位置２点Ｃｔ１が点Ｃｔ５へと移動した場合、それぞれ固定指示位置点Ａ方向への縮小操作であると解釈される。
【００７８】
図５１は、固定指示位置を中心とした縮小操作として解釈される場合のデータの例を示す図である。同図において、グラフ５１０１のように固定指示位置の座標は点Ａ（３，３）であり、移動指示位置１である点Ｂの座標は移動開始時ｔ１では点Ｂｔ１（４，８）、移動終了時ｔ５では点Ｂｔ５（５，５）であり、移動指示位置２である点Ｃの座標は移動開始時ｔ１では点Ｃｔ１（２，２）、移動終了時ｔ５では点Ｃｔ５（４，３．５）である。テーブル５１０２は、ｔ１からｔ５における、固定指示位置点Ａ及び、移動指示位置１点Ｂ、移動指示位置２点Ｃの位置データを示すものである。
【００７９】
テーブル５１０３は、固定指示位置間の距離変化データを示すものであり、指示位置間距離変化データ１において、移動開始時ｔ１の指示位置ＡＢ間の距離は５．０９９であり、移動終了時ｔ５の指示位置ＡＢ間の距離は２．８２８であり、指示位置ＡＢ間の距離のｔ１からｔ５に対する倍率は５５％である。また、指示位置間距離変化データ２において、移動開始時ｔ１の指示位置ＡＣ間の距離は１．４１４であり、移動終了時ｔ５の指示位置ＡＣ間の距離は１．１１８であり、指示位置ＡＣ間の距離のｔ１からｔ５に対する倍率は７９％である。
【００８０】
〔実施形態６〕
本実施形態では、取得された２個所以上の指示位置の移動軌跡の組み合わせから行うべき操作を解釈する際に、固定指示位置の存在と、その他の移動指示位置間の距離変化に着目した例について具体的に説明する。
【００８１】
図５２は、移動指示位置間の距離を利用する処理の手順を示すフローチャートである。同図において、固定指示位置対応指示解釈処理が起動されると、ステップＳ５２０１で移動指示位置間距離測定処理が起動され、現在の移動指示位置間の距離が測定される。次に、ステップＳ５２０２に進み、移動指示位置間距離変化取得処理が起動され、取得された距離の変化量を取得する。続いて、ステップＳ５２０３で移動指示位置間の距離変化に基づく指示解釈処理が起動され、取得された移動指示位置間距離の変化量に基づいて行なうべき操作を解釈する。
【００８２】
図５３は、移動指示位置間の距離変化に基づく指示解釈処理の手順を示すフローチャートである。同図において、ステップＳ５３０１で固定指示位置が存在する場合には、ステップＳ５３０２に進み、変化量が０より小さい場合には、ステップＳ５３０３で固定指示位置に対する縮小操作として解釈される。変化量が０より大きい場合には、ステップＳ５３０４で固定指示位置に対する拡大操作として解釈される。変化量が０に等しい場合には、ステップＳ５３０５で縮小または拡大操作以外であると解釈する。ステップＳ５３０１において、固定指示位置の存在が確認されない場合には、ステップＳ５３０６に進み、全体に対する操作であると解釈する。
【００８３】
図５４は、固定指示位置を中心とした縮小操作として解釈される操作例を示す図である。同図において、固定指示位置点Ａが固定されており、２つの移動指示位置点Ｂｔ１及び移動指示位置点Ｃｔ１があり、それらが固定指示位置点Ａの方向に向かって、移動指示位置点Ｂｔ１がＢｔ５へ、移動指示位置点Ｃｔ１が点Ｃｔ５へと移動した場合、移動指示位置間の距離の変化量に応じて、固定指示位置点Ａを中心とした縮小操作であると解釈される。
【００８４】
図５５は、固定指示位置を中心とした縮小操作として解釈される場合のデータ例を示す図である。同図において、グラフ５５０１のように固定指示位置の座標は点Ａ（３，３）であり、移動指示位置点Ｂの座標は移動開始時ｔ１では点Ｂｔ１（４，８）、移動終了時ｔ５では点Ｂｔ５（５，５）であり、移動指示位置点Ｃの座標は移動開始時ｔ１では点Ｃｔ１（３，２）、移動終了時ｔ５では点Ｃｔ５（４，２．８）である。
【００８５】
テーブル５５０２は、ｔ１からｔ５における固定指示位置点Ａ及び、移動指示位置点Ｂ、移動指示位置点Ｃの位置データを示すものである。テーブル５５０３は、移動指示位置間の距離変化データを示すものであり、指示位置間距離変化データにおいて、移動開始時ｔ１の指示位置ＢＣ間の距離は６．０８３であり、移動終了時ｔ５の指示位置ＢＣ間の距離は２．４１７であり、指示位置ＢＣ間の距離のｔ１からｔ５に対する変化量は４０％である。
【００８６】
図５６は、固定指示位置を中心とした拡大操作として解釈される操作例を示す図である。同図において、固定指示位置点Ａが固定されており、移動指示位置１点Ｂｔ１及び移動指示位置２点Ｃｔ１があり、それらが固定指示位置点Ａの方向に向かって、移動指示位置１点Ｂｔ１がＢｔ５へ、移動指示位置２点Ｃｔ１が点Ｃｔ５へと移動した場合、移動指示位置間の距離の比に応じて、固定指示位置点Ａを中心とした拡大操作であると解釈される。
【００８７】
図５７は、固定指示位置を中心とした拡大操作として解釈される場合のデータ例を示す図である。同図において、グラフ５７０１のように固定指示位置の座標は点Ａ（３，３）であり、移動指示位置１である点Ｂの座標は移動開始時ｔ１では点Ｂｔ１（５，５）、移動終了時ｔ５では点Ｂｔ５（４，８）であり、移動指示位置２である点Ｃの座標は移動開始時ｔ１では点Ｃｔ１（４，２．８）、移動終了時ｔ５では点Ｃｔ５（２，２）である。
【００８８】
テーブル５７０２は、ｔ１からｔ５における固定指示位置点Ａ及び、移動指示位置１点Ｂ、移動指示位置２点Ｃの位置データを示すものである。テーブル５７０３は、移動指示位置間の距離変化データを示すものであり、指示位置間距離変化データ１において、移動開始時ｔ１の指示位置ＢＣ間の距離は２．４１７であり、移動終了時ｔ５の指示位置ＢＣ間の距離は６．３２５であり、指示位置ＢＣ間の距離のｔ１からｔ５に対する変化量は２６２％である。
【００８９】
図５８は、固定指示位置を中心とした複数移動指示操作として解釈される操作例を示す図である。同図において、固定指示位置点Ａが固定されており、５８０１のように移動指示位置１点Ｂｔ１及び移動指示位置２点Ｃｔ１、移動指示位置３点Ｄｔ１、があり、５８０２のように固定指示位置点Ａの方向に向かって、移動指示位置１点Ｂｔ１がＢｔ５へ、移動指示位置２点Ｃｔ１が点Ｃｔ５へ、移動指示位置３点Ｄｔ１が点Ｄｔ５へと移動した場合、移動指示位置間の距離の変化量に応じて、固定指示位置点Ａを中心とした複数移動指示操作であると解釈される。
【００９０】
図５９は、固定指示位置を中心とした複数移動指示操作として解釈される場合のデータ例を示す図である。同図において、グラフ５９０１のように固定指示位置の座標は点Ａ（３，３）であり、移動指示位置１である点Ｂの座標は移動開始時ｔ１では点Ｂｔ１（５，５）、移動終了時ｔ５では点Ｂｔ５（４，８）であり、移動指示位置２である点Ｃの座標は移動開始時ｔ１では点Ｃｔ１（４，３．５）、移動終了時ｔ５では点Ｃｔ５（２，２）であり、移動指示位置３である点Ｄの座標は移動開始時ｔ１では点Ｄｔ１（５．５，４．５）、移動終了時ｔ５では点Ｄｔ５（６，９）である。
【００９１】
テーブル５９０２は、ｔ１からｔ５における、固定指示位置点Ａ及び、３つの移動指示位置点Ｂ、移動指示位置点Ｃ、移動指示位置点Ｄの位置データを示すものである。テーブル５９０３は、移動指示位置間の距離変化データを示すものであり、指示位置間距離変化データ１において、移動開始時ｔ１の指示位置ＢＣ間の距離は１．８０３であり、移動終了時ｔ５の指示位置ＢＣ間の距離は６．３２５であり、指示位置ＢＣ間の距離のｔ１からｔ５に対する変化量は３５２％である。指示位置間距離変化データ２において、移動開始時ｔ１の指示位置ＢＤ間の距離は０．７０７であり、移動終了時ｔ５の指示位置ＢＤ間の距離は２．２３６であり、指示位置ＢＣ間の距離のｔ１からｔ５に対する変化量は３１６％である。指示位置間距離変化データ３において、移動開始時ｔ１の指示位置ＣＤ間の距離は１．８０３であり、移動終了時ｔ５の指示位置ＣＤ間の距離は８．０６２であり、指示位置ＢＣ間の距離のｔ１からｔ５に対する変化量は４４７％である。
【００９２】
〔実施形態７〕
本実施形態では、取得された２個所以上の指示位置の移動軌跡の組み合わせから行うべき操作を解釈する際に、固定指示位置と移動指示位置とを結ぶ線の水平方向に対する角度（以下、指示位置間の角度と称する）の変化に着目した例について具体的に説明する。
【００９３】
図６０は、指示位置間の角度変化を利用する処理の手順を示すフローチャートである。同図において、ステップＳ６００１で指示位置間角度測定処理が起動され、指示位置間の角度が測定される。次に、ステップＳ６００２に進み、固定指示位置間角度変化取得処理が起動され、取得された角度の変化量を取得する。続いて、ステップＳ６００３で指示位置間の角度変化に基づく指示解釈処理が起動され、取得された角度変化に応じて行なうべき操作を解釈する。
【００９４】
図６１は、指示位置間の角度変化に基づく指示解釈処理の手順を示すフローチャートである。同図において、ステップＳ６１０１で固定指示位置が存在しない場合には、ステップＳ６１０６に進み、全体に対する操作として解釈する。ステップＳ６１０１で固定指示位置が存在する場合にはステップＳ６１０２に進み、変化量が０°より小さい場合にはステップＳ６１０４に進み、固定指示位置を中心とする右回転操作として解釈する。変化量が０°より大きい場合には、ステップＳ６１０３に進み、固定指示位置を中心とする左回転操作として解釈する。変化量が０°に等しい場合には、ステップＳ６１０５で回転操作以外、または固定指示位置を固定した状態での回転方向への変形操作として解釈する。
【００９５】
図６２は、右回転操作として解釈される操作例を示す図である。同図において、固定指示位置点Ａが固定されており、移動開始時ｔ１の移動指示位置点Ｂｔ１から、移動終了時ｔ５の移動指示位置点Ｂｔ５へと変化したので、右回転操作であると解釈される。
【００９６】
図６３は、右回転操作として解釈される場合のデータ例を示す図である。同図において、グラフ６３０１のように固定指示位置点Ａと移動指示位置点Ｂとを結ぶ直線の水平線に対する角度は、移動開始時ｔ１では、７１．５７°であり、移動終了時ｔ５では１８．４３°である。テーブル６３０２Ａ、Ｂは、ｔ１からｔ５における固定指示位置点Ａ及び、移動指示位置点Ｂの位置データを示すものである。テーブル６３０３は、指示位置間の角度変化データを示すものであり、指示位置間角度変化データにおいて、移動終了時ｔ５の固定指示位置間角度の変化量は−５３．１３°である。
【００９７】
図６４は、左回転操作として解釈される操作例を示す図である。同図において、固定指示位置点Ａが固定されており、移動開始時ｔ１の移動指示位置点Ｂｔ１から、移動終了時ｔ５の移動指示位置点Ｂｔ５へと変化した場合、左回転操作であると解釈される。
【００９８】
図６５は、左回転操作として解釈される場合のデータ例を示す図である。同図において、グラフ６５０１のように固定指示位置点Ａに対する移動指示位置点Ｂの角度は、移動開始時ｔ１では、７１．５７°であり、移動終了時ｔ５では１０８．４３°である。テーブル６５０２Ａ、Ｂは、ｔ１からｔ５における固定指示位置点Ａ及び、移動指示位置点Ｂの位置データを示すものである。テーブル６５０３は、固定指示位置間の角度変化データを示すものであり、固定指示位置間角度変化データにおいて、移動終了時ｔ５の固定指示位置間角度の変化量は＋３６．８７°である。
【００９９】
〔実施形態８〕
本実施形態では、取得された２個所以上の指示位置の移動軌跡の組み合わせから行うべき操作を解釈する際に、２つの移動指示位置を結ぶ線の水平線に対する角度（以下、移動指示位置の角度と称する）の変化に着目した例について具体的に説明する。
【０１００】
図６６は、移動指示位置の角度変化を利用する処理の手順を示すフローチャートである。同図において、ステップＳ６６０１で移動指示位置の角度測定処理が起動され、固定指示位置以外の指示位置の角度を測定する。次に、ステップＳ６６０２で、移動指示位置の角度変化の取得処理が起動され、角度の変化量を取得する。続いてステップＳ６６０３で、移動指示位置の角度変化に基づく指示解釈処理が起動され、取得された角度変化に基づいて行なうべき操作を解釈する。
【０１０１】
図６７は、移動指示位置の角度変化に基づく指示解釈処理の手順を示すフローチャートである。同図において、ステップＳ６７０１で固定指示位置が存在しない場合には、ステップＳ６７０６に進み、全体に対する操作として解釈する。ステップＳ６７０１で固定指示位置が存在する場合には、ステップＳ６７０２で変化量を調べ、変化量が０°より小さい場合にはステップＳ６７０４に進み、固定指示位置を中心とする右回転操作として解釈する。変化量が０°より大きい場合には、ステップＳ６７０３に進み、固定指示位置を中心とする左回転操作として解釈する。変化量が０°に等しい場合には、ステップＳ６７０５に進み、回転操作以外であると解釈する。または、固定指示位置を固定した状態での移動指示位置の重心を中心とした回転方向への変形操作として解釈する。
【０１０２】
図６８は、右回転操作として解釈される操作例を示す図である。同図において、固定指示位置点Ａが固定されており、移動指示位置１点Ｂｔ１及び移動指示位置点Ｃｔ１があり、移動指示位置１点Ｂｔ１がＢｔ５へ、移動指示位置２点Ｃｔ１が点Ｃｔ５へと移動した場合、右回転操作であると解釈される。
【０１０３】
図６９は、右回転操作として解釈される場合のデータ例を示す図である。同図において、グラフ６９０１のように固定指示位置の座標は点Ａ（３，３）であり、移動指示位置点Ｂの座標は移動開始時ｔ１では点Ｂｔ１（４，６）、移動終了時ｔ５では点Ｂｔ５（６，４）であり、移動指示位置点Ｃの座標は移動開始時ｔ１では点Ｃｔ１（２，１）、移動終了時ｔ５では点Ｃｔ５（１，２）である。テーブル６９０２は、ｔ１からｔ５における固定指示位置点Ａ及び、移動指示位置１点Ｂ、移動指示位置２点Ｃの位置データを示すものである。テーブル６９０３は、移動指示位置間の角度変化データを示すものであり、移動指示位置間角度変化データにおいて、移動指示位置間角度は移動開始時ｔ１には６８．２０°、移動終了時ｔ５には３６．８７°であり、移動指示位置間角度の変化量は−３１．３３°である。
【０１０４】
図７０は、左回転操作として解釈される操作例を示す図である。同図において、固定指示位置点Ａが固定されており、移動指示位置点Ｂｔ１及びＣｔ１があり、移動指示位置点Ｂｔ１がＢｔ５へ、移動指示位置点Ｃｔ１が点Ｃｔ５へと移動した場合、左回転操作であると解釈される。
【０１０５】
図７１は、左回転操作として解釈される場合のデータ例を示す図である。同図において、グラフ７１０１のように固定指示位置の座標は点Ａ（３，３）であり、移動指示位置である点Ｂの座標は移動開始時ｔ１では点Ｂｔ１（４，６）、移動終了時ｔ５では点Ｂｔ５（２，５）であり、移動指示位置である点Ｃの座標は移動開始時ｔ１では点Ｃｔ１（２，１）、移動終了時ｔ５では点Ｃｔ５（２．５，２）である。テーブル７１０２は、ｔ１からｔ５における固定指示位置点Ａ及び、移動指示位置点Ｂ、Ｃの位置データを示すものである。テーブル７１０３は、移動指示位置間の角度変化データを示すものであり、移動指示位置間角度変化データにおいて、移動指示位置間角度は移動開始時ｔ１には６８．２０°、移動終了時ｔ５には９９．４６°であり、移動指示位置間角度の変化量は＋３１．２６°である。
【０１０６】
図７２は、３つの移動指示位置が重心を中心とした回転操作として解釈される操作例を示す図である。同図において、固定指示位置点Ａが固定されており、移動指示位置点Ｂｔ１、Ｃｔ１及びＤｔ１があり、移動指示位置点Ｂｔ１がＢｔ５へ、移動指示位置点Ｃｔ１が点Ｃｔ５へ、移動指示位置点Ｄｔ１が点Ｄｔ５へと移動した場合、重心を中心とした回転操作であると解釈される。
【０１０７】
図７３は、重心を中心とした回転操作として解釈される場合のデータ例を示す図である。同図において、グラフ７３０１のように固定指示位置の座標は点Ａ（３，３）であり、移動指示位置である点Ｂの座標は移動開始時ｔ１では点Ｂｔ１（５，５）、移動終了時ｔ５では点Ｂｔ５（４，８）であり、移動指示位置である点Ｃの座標は移動開始時ｔ１では点Ｃｔ１（４，３．５）、移動終了時ｔ５では点Ｃｔ５（２，２）  であり、移動指示位置である点Ｄの座標は移動開始時ｔ１では点Ｄｔ１（５．５，４．５）、移動終了時ｔ５では点Ｄｔ５（６，９）である。テーブル７３０２は、ｔ１からｔ５における固定指示位置点Ａ及び、移動指示位置点Ｂ、Ｃ、Ｄの位置データを示すものである。テーブル７３０３は、移動指示位置間の距離変化データを示すものであり、移動指示位置ＢＣ間の距離は、移動開始時ｔ１には１．８０３、移動終了時ｔ５には６．３２５であり、移動指示位置間距離の変倍率は３５１％である。また、移動指示位置ＢＤ間の距離は、移動開始時ｔ１には０．７０７、移動終了時ｔ５には２．２３６であり、移動指示位置間距離の変倍率は３１６％である。移動指示位置ＣＤ間の距離は、移動開始時ｔ１には１．８０３、移動終了時ｔ５には８．０６２であり、移動指示位置間距離の変倍率は４４７％である。
【０１０８】
〔実施形態９〕
本実施形態では、取得された２個所以上の指示位置の移動軌跡の組み合わせから行うべき操作を解釈する際に、複数の指示位置間の位置関係に着目した例について具体的に説明する。
【０１０９】
図７４は、指示位置間の位置関係を利用する処理の手順を示すフローチャートである。同図において、ステップＳ７４０１で指示位置の位置関係判定処理が起動され、指示位置間の位置関係を判定する。次に、ステップＳ７４０２に進み、指示位置間の位置関係に基づく指示解釈処理が起動され、判定された位置関係に応じて行なうべき操作を解釈する。
【０１１０】
図７５は、ステップＳ７４０１の指示位置間の位置関係判定処理の手順を示すフローチャートである。同図において、ステップＳ７５０１で指示位置間の角度が取得される。続いて、ステップＳ７５０２において、取得された角度が９０°を中心として４５°から１３５°の間、または−９０°を中心として−４５°から−１３５°の間であった場合には、指示位置間位置関係は上下関係であると解釈する。０°を中心として４５°から‐４５°の間、または１８０°を中心として１３５°から‐１３５°の間であった場合には、指示位置間位置関係は左右関係であると解釈する。角度の解釈については、図３５に示した通りである。
【０１１１】
図７６は、ステップＳ７４０２の、指示位置の位置関係に基づく指示解釈処理の手順を示すフローチャートである。同図において、ステップＳ７６０１で指示位置移動範囲取得処理が起動され、指示位置の移動対象範囲が取得される。次に、ステップＳ７６０２で位置関係を判断し、位置関係が上下関係であった場合は、ステップＳ７６０３に進み、カット操作指示または削除操作指示として解釈する。位置関係が左右であった場合には、ステップＳ７６０４に進み、コピー操作指示として解釈する。
【０１１２】
図７７は、上下関係移動操作として解釈される操作例を示す図である。同図において、指示位置がそれぞれ、指示位置点Ａｔ１から点Ａｔ５へ、指示位置点Ｂｔ１から点Ｂｔ５へと移動する場合、上下関係移動操作であると解釈する。
【０１１３】
図７８は、上下関係移動操作として解釈される場合のデータ例を示す図である。同図において、グラフ７８０１のように移動開始時ｔ１の各指示位置の座標が点Ａｔ１（４，５）及び点Ｂｔ１（３，８）である時、指示位置間の位置関係を表す角度ｔ１は１０８．４３°であり、移動終了時ｔ５の各指示位置の座標が点Ａｔ５（８，５）及び点Ｂｔ５（７，８）である時、指示位置間の位置関係を表す角度ｔ５は１０８．４３°である。テーブル７８０２は、ｔ１からｔ５における指示位置点Ａ及び、指示位置点Ｂの位置データを示すものである。テーブル７８０３は、指示位置間の位置関係を表す角度データを示すものであり、指示位置間位置関係データにおいて、ｔ１からｔ５までの指示位置間角度が格納されている。
【０１１４】
図７９は、左右関係移動操作として解釈される操作例を示す図である。同図において、各指示位置がそれぞれ、指示位置点Ａｔ１から点Ａｔ５へ、指示位置点Ｂｔ１から点Ｂｔ５へと移動する場合、左右関係移動操作であると解釈する。
【０１１５】
図８０は、左右移動操作として解釈される場合のデータ例を示す図である。同図において、グラフ８００１のように、移動開始時ｔ１の各指示位置の座標が点Ａｔ１（３，８）及び点Ｂｔ１（５，９）である時、指示位置間の位置関係を表す角度ｔ１は２６．５７°であり、移動終了時ｔ５の各指示位置の座標が点Ａｔ５（７，８）及び点Ｂｔ５（９，９）である時、指示位置間の位置関係を表す角度ｔ５は２６．５７°である。テーブル８００２は、ｔ１からｔ５における指示位置点Ａ及び、指示位置点Ｂの位置データを示すものである。
【０１１６】
テーブル８００３は、指示位置間位置関係を表す角度データを示すものであり、指示位置間位置関係データにおいて、ｔ１からｔ５における指示位置間角度が格納されている。
【０１１７】
〔実施形態１０〕
本実施形態では、取得された２個所以上の指示位置の移動軌跡の組み合わせから行うべき操作を解釈する際に、指示位置間の位置関係変化に着目した例について具体的に説明する。
【０１１８】
図８１は、指示位置間の位置関係に基づく指示解釈処理の手順を示すフローチャートである。同図において、ステップＳ８１０１で指示位置間の位置関係変化判定処理が起動され、指示位置間の位置関係変化を判定する。次に、ステップＳ８１０２に進み、位置関係変化に基づく指示解釈処理が起動され、判定された位置関係変化データに応じて行なうべき操作を解釈する。
【０１１９】
図８２は、位置関係変化に基づく指示解釈処理の手順を示すフローチャートである。同図において、ステップＳ８２０１で反転角度変化量がチェックされ、取得された角度変化量が反転角度変化量であった場合には、ステップＳ８２０２に進み、任意反転操作、または削除、またはカット指示操作として解釈する。ステップＳ８２０１で角度変化量が反転角度変化量でなかった場合には、ステップＳ８２０３に進み、Ｘ方向位置変化がチェックされ、各指示位置が左右逆転であった場合には、ステップＳ８２０４に進み、左右反転操作、または削除、またはカット指示操作として解釈する。
【０１２０】
ステップＳ８２０３で、左右逆転でなかった場合には、ステップＳ８２０５でＹ方向位置変化がチェックされ、取得された各指示位置が上下逆転であった場合には、ステップＳ８２０６に進み、上下反転操作、または削除、またはカット指示操作として解釈する。ステップＳ８２０５で、上下逆転でなかった場合には、ステップＳ８２０７に進み、拡大、または縮小指示操作として解釈する。
【０１２１】
図８３は、指示位置間関係変化取得処理の手順を示すフローチャートである。同図において、ステップＳ８３０１で指示位置間角度測定処理が起動され、指示位置間の角度が測定される。次にステップＳ８３０２で指示位置間角度変化取得処理が起動され、指示位置間の角度変化を取得し、続くステップＳ８３０３において、取得された角度変化が１８０°対称の一定範囲内にある場合には、ステップＳ８３０４に進み、指示位置間位置関係変化を逆転と解釈する。
【０１２２】
ステップＳ８３０３において、取得された角度変化が１８０°対称の一定範囲内に無い場合には、ステップＳ８３０５に進み、指示位置間水平位置関係判定処理が起動され、指示位置間の水平方向の位置関係が取得される。次のステップＳ８３０６で指示位置間水平位置関係変化判定処理が起動され、指示位置間の水平位置関係変化が取得され、続くステップＳ８３０７において、取得された水平位置関係が負であった場合には、ステップＳ８３０８に進み、指示位置間位置関係変化を左右逆転として取得する。
【０１２３】
ステップＳ８３０７において、取得された水平位置関係変化が正であった場合には、ステップＳ８３０９に進み、指示位置間垂直位置関係判定処理が起動され、指示位置間の垂直方向の位置関係が取得される。次のステップＳ８３１０で指示位置間垂直位置関係変化判定処理が起動され、指示位置間の垂直位置関係変化が取得され、続くステップＳ８３１１において、取得された垂直位置関係が負であった場合には、ステップＳ８３１２に進み、指示位置間位置関係変化を上下逆転として取得する。一方、ステップＳ８３１１において、取得された垂直位置関係変化が正であった場合には、ステップＳ８３１３に進み、指示位置間位置関係を変化無しとして取得する。
【０１２４】
図８４は、反転操作として解釈される操作例を示す図である。同図において、指示位置がそれぞれ、指示位置点Ａｔ１から点Ａｔ５へ、指示位置点Ｂｔ１から点Ｂｔ５へと移動する場合、反転操作であると解釈する。
【０１２５】
図８５は、反転操作として解釈される場合のデータ例を示す図である。同図において、グラフ８５０１のように移動開始時ｔ１の各指示位置の座標が点Ａｔ１（４，１０）及び点Ｂｔ１（８，１１）である時、点Ａの点Ｂ対する角度ｔ１は１４．０４°であり、移動終了時ｔ５の各指示位置の座標が点Ａｔ５（８，４）及び点Ｂｔ５（４，３）である時、角度ｔ５は−１６５．９６である。テーブル８５０２は、ｔ１からｔ５における指示位置点Ａ及びＢの位置データを示すものである。テーブル８５０３は、指示位置間の位置関係を示すものであり、位置関係変化データにおいて、ｔ１からｔ５における指示位置間のＸ方向位置変化、Ｙ方向位置変化、及び指示位置間角度に基づく位置関係変化量が格納されている。この場合、位置関係変化量が１８０°となり、指示位置点Ａと指示位置点Ｂの位置は逆転している。
【０１２６】
図８６は、左右反転操作として解釈される操作例を示す図である。同図において、指示位置がそれぞれ、点Ａｔ１から点Ａｔ５へ、点Ｂｔ１から点Ｂｔ５へと移動する場合、左右反転操作であると解釈する。
【０１２７】
図８７は、左右反転操作として解釈される場合のデータ例を示す図である。同図において、グラフ８７０１のように移動開始時ｔ１の各指示位置の座標が点Ａｔ１（１０，１０）及び点Ｂｔ１（１１，１３）である時、点Ａの点Ｂ対する角度ｔ１は７１．５７°であり、移動終了時ｔ５の各指示位置の座標が点Ａｔ５（９，３）及び点Ｂｔ５（８，５）である時、角度ｔ５は１１６．５７°である。テーブル８７０２は、ｔ１からｔ５における指示位置点Ａ及びＢの位置データを示すものである。テーブル８７０３は、指示位置間の位置関係を示すものであり、位置関係変化データにおいて、ｔ１からｔ５における指示位置間のＸ方向位置変化、Ｙ方向位置変化、及び指示位置間角度に基づく位置関係変化量が格納されている。この場合、Ｘ方向位置関係が負から正へ変化しており、指示位置点ＡとＢの位置は左右反転している。
【０１２８】
図８８は、上下反転操作として解釈される操作例を示す図である。同図において、指示位置がそれぞれ、点Ａｔ１から点Ａｔ５へ、点Ｂｔ１から点Ｂｔ５へと移動する場合、上下反転操作であると解釈する。
【０１２９】
図８９は、上下反転操作として解釈される場合のデータ例を示す図である。同図において、グラフ８９０１のように移動開始時ｔ１の各指示位置の座標が点Ａｔ１（５，１２）及び点Ｂｔ１（７，１５）である時、点Ａの点Ｂ対する角度ｔ１は５６．３１°であり、移動終了時ｔ５の各指示位置の座標が点Ａｔ５（５，２）及び点Ｂｔ５（６，１）である時、角度ｔ５は−４５．００°である。テーブル８９０２は、ｔ１からｔ５における指示位置点Ａ及びＢの位置データを示すものである。テーブル８９０３は、指示位置間の位置関係を示すものであり、位置関係変化データにおいて、ｔ１からｔ５における指示位置間のＹ方向位置変化、Ｙ方向位置変化、及び指示位置間角度に基づく位置関係変化量が格納されている。この場合、Ｙ方向位置関係が負から正へ変化しており、指示位置点ＡとＢの位置は上下反転している。
【０１３０】
〔実施形態１１〕
本実施形態では、取得された２個所以上の指示位置の移動軌跡の組み合わせから行うべき操作を解釈する際に、固定指示位置と移動指示位置との位置関係に着目した例について具体的に説明する。
【０１３１】
図９０は、指示位置間位置関係の取得処理の手順を示すフローチャートである。同図において、ステップＳ９００１で固定指示位置検出処理が起動され、固定指示位置を検出する。次に、ステップＳ９００２に進み、固定指示位置に対する位置関係判定処理が起動され、検出された固定指示位置と移動指示位置との位置関係が取得される。
【０１３２】
図９１は、固定指示位置に対する位置関係に基づく指示解釈処理の手順を示すフローチャートである。同図において、ステップＳ９１０１で対固定指示位置間位置関係対応指示解釈処理が起動され、判定された位置関係データに応じて行なうべき操作を解釈する。
【０１３３】
図９２は、固定指示位置に対する位置関係に基づく指示解釈処理の詳細手順を示すフローチャートである。同図において、ステップＳ９２０１で指示位置移動方向取得処理が起動され、移動指示位置の移動方向が取得される。続くステップＳ９２０２において移動方向を判定する。移動方向が左であった場合には、ステップＳ９２０３に進む。
【０１３４】
ステップＳ９２０３において、固定指示位置に対する位置関係が右側であった場合には、ステップＳ９２０７に進み、行うべき操作を次項目操作、または次ページ操作、または次画面操作、または末尾行操作、または左右方向のみの縮小操作であると解釈する。ステップＳ９２０３において、位置関係が左側であった場合には、ステップＳ９２０８に進み、行うべき操作左画面移動操作、または左右方向のみの拡大操作であると解釈する。ステップＳ９２０３において、位置関係が上側であった場合には、ステップＳ９２０９に進み、行うべき操作左回転操作として解釈する。ステップＳ９２０３において、位置関係が下側であった場合には、ステップＳ９２１０に進み、行うべき操作を右回転操作として解釈する。
【０１３５】
一方、ステップＳ９２０２において、移動方向が上であった場合には、ステップＳ９２０４に進み、固定指示位置に対する位置関係が右側であった場合には、ステップＳ９２１１に進み、行うべき操作を左回転操作として解釈する。ステップＳ９２０４において、位置関係が左側であった場合には、ステップＳ９２１２に進み、行うべき操作を右回転操作として解釈する。ステップＳ９２０４において、位置関係が上側であった場合には、ステップＳ９２１３に進み、、行うべき操作を上画面移動操作、または上下方向のみの拡大操作として解釈する。ステップＳ９２０４において、位置関係が下側であった場合には、ステップＳ９２１４に進み、行うべき操作を次項目操作、または次ページ操作、または次画面操作、または末尾行操作、または上下方向のみの縮小操作として解釈する。
【０１３６】
また、ステップＳ９２０２において、移動方向が下であった場合には、ステップＳ９２０５に進み、固定指示位置に対する位置関係が右側であった場合には、ステップＳ９２１５に進み、行うべき操作を右回転操作として解釈する。ステップＳ９２０５において、位置関係が左側であった場合には、ステップＳ９２１６に進み、行うべき操作を左回転操作として解釈する。ステップＳ９２０５において、位置関係が上側であった場合には、ステップＳ９２１７に進み、行うべき操作を前項目操作、または前ページ操作、または前画面操作、または先頭行操作、または上下方向のみの縮小操作として解釈する。ステップＳ９２０５において、位置関係が下側であった場合には、ステップＳ９２１８に進み、行うべき操作を下画面移動操作として解釈する。
【０１３７】
また、ステップＳ９２０２において、移動方向が右であった場合には、ステップＳ９２０６に進み、固定指示位置に対する位置関係が右側であった場合には、ステップＳ９２１９に進み、行うべき操作右画面移動操作、または左右方向のみの拡大操作として解釈する。ステップＳ９２０６において、位置関係が左側であった場合には、ステップＳ９２２０に進み、行うべき操作を前項目操作、または前ページ操作、または前画面操作、または先頭行操作、または左右方向のみの縮小操作として解釈する。ステップＳ９２０６において、位置関係が上側であった場合には、ステップＳ９２２１に進み、行うべき操作を右回転操作として解釈する。ステップＳ９２０６において、位置関係が下側であった場合には、ステップＳ９２２２に進み、行うべき操作を左回転操作として解釈する。
【０１３８】
図９３は、固定指示位置に対する位置関係判定処理の手順を示すフローチャートである。同図において、ステップＳ９３０１で、指示位置間角度取得処理が起動され、指示位置間の角度が取得される。続くステップＳ９３０２において、取得された角度が上方向の一定範囲内にある場合、ステップＳ９３０３で位置関係を上と判定する。またステップＳ９３０２において、取得された角度が下方向の一定範囲内にある場合、ステップＳ９３０４で位置関係を下と判定する。またステップＳ９３０２において、取得された角度が左方向の一定範囲内にある場合、ステップＳ９３０５で位置関係を左と判定する。またステップＳ９３０２において、取得された角度が右方向の一定範囲内にある場合、ステップＳ９３０６で位置関係を右と判定する。
【０１３９】
図９４は、指示位置移動方向取得処理の手順を示すフローチャートである。同図において、ステップＳ９４０１で、指示位置移動角度取得処理が起動され、指示位置の移動角度が取得される。続くステップＳ９４０２において、取得された角度が上方向の一定範囲内にある場合、ステップＳ９４０３で移動方向を上と判定する。ステップＳ９４０２において、取得された角度が下方向の一定範囲内にある場合、ステップＳ９４０４で移動方向を下と判定する。ステップＳ９４０２において、取得された角度が左方向の一定範囲内にある場合、ステップＳ９４０５で移動方向を左と判定する。ステップＳ９４０２において、取得された角度が右方向の一定範囲内にある場合、ステップＳ９４０６で移動方向を右と判定する。
【０１４０】
図９５は、移動指示位置の移動方向が同一である時に、位置関係により、次項目操作、または左画面移動操作として解釈される二つの操作例を示す図である。同図において、移動指示位置点Ｂは、移動方向が左方向であり、かつ位置関係が固定指示位置点Ａの右側であるので、行うべき操作を次項目操作、または次ページ操作、または次画面操作、または末尾行操作、または左右方向のみの縮小操作であると解釈する。一方、移動指示位置点Ｄは、移動方向が左方向であり、かつ位置関係が固定指示位置点Ｃの左側であるので、行うべき操作を左画面移動操作、または左右方向のみの拡大操作であると解釈する。
【０１４１】
同様に、移動方向が左方向で、位置関係が固定指示位置の上側の場合には、行うべき操作を左回転操作として解釈し、位置関係が固定指示位置の下側の場合には、行うべき操作を右回転操作として解釈する。
【０１４２】
また、移動方向が上方向で、位置関係が固定指示位置の右側の場合には、行うべき操作を左回転操作として解釈し、位置関係が固定指示位置の左側の場合には、行うべき操作を右回転操作として解釈し、位置関係が固定指示位置の上側の場合には、行うべき操作を上画面移動操作、または上下方向のみの拡大操作として解釈し、位置関係が固定指示位置の下側の場合には、行うべき操作を次項目操作、または次ページ操作、または次画面操作、または末尾行操作、または上下方向のみの縮小操作、として解釈する。
【０１４３】
また、移動方向が下方向で、位置関係が固定指示位置の右側の場合には、行うべき操作を右回転操作、として解釈し、位置関係が固定指示位置の左側の場合、行うべき操作を左回転操作、として解釈し、位置関係が固定指示位置の上側の場合には、行うべき操作を前項目操作、または前ページ操作、または前画面操作、または先頭行操作、または上下方向のみの縮小操作として解釈し、位置関係が固定指示位置の下側の場合には、行うべき操作を下画面移動操作、または上下方向のみの拡大操作として解釈する。
【０１４４】
また、移動方向が右方向で、位置関係が固定指示位置の右側の場合には、行うべき操作を右画面移動操作、または左右方向のみの拡大操作、として解釈し、位置関係が固定指示位置の左側の場合には、行うべき操作を前項目操作、または前ページ操作、または前画面操作、または先頭行操作、または左右方向のみの縮小操作として解釈し、位置関係が固定指示位置の上側の場合には、行うべき操作を右回転操作として解釈し、位置関係が固定指示位置の下側の場合には、行うべき操作を左回転操作として解釈する。
【０１４５】
図９６は、次項目操作として解釈される場合のデータ例を示す図である。同図において、グラフ９６０１のように固定指示位置点Ａ（３，３）があり、移動指示位置は移動開始時ｔ１では点Ｂｔ１（６，２．８）、移動終了時ｔ５では点Ｂｔ５（４，２）である。テーブル９６０２は、ｔ１からｔ５における、固定指示位置点Ａ及び移動指示位置点Ｂの位置データを示すものである。テーブル９６０３は、固定指示位置と移動指示位置の位置関係を示すものであり、指示位置移動データにおいて、移動終了時ｔ５の指示位置の移動量は固定指示位置点Ａが０、移動指示位置点Ｂが２．２３６であり、固定指示位置点Ａと移動指示位置点Ｂの関係はｔ１の時１７６．１９°であり、ｔ５の時には１３５．００°へと変化している。また移動指示位置点Ｂの移動方向は−１５３．４３°である。
【０１４６】
〔実施形態１２〕
本実施形態では、取得された２個所以上の指示位置の移動軌跡の組み合わせから行うべき操作を解釈する際に、固定指示位置２個所と移動指示位置の位置関係変化に着目した例について具体的に説明する。
【０１４７】
図９７は、固定指示位置と移動指示位置との位置関係に基づく処理の手順を示すフローチャートである。同図において、ステップＳ９７０１で、固定指示位置と移動指示位置との位置関係判定処理が起動され、検出された２個所の固定指示位置に対する移動指示位置の位置関係が取得される。ステップＳ９７０２で、固定指示位置と移動指示位置との位置関係に基づく指示解釈処理が起動され、取得された指示位置関係に応じて行うべき操作を解釈する。
【０１４８】
図９８は、固定指示位置と移動指示位置との位置関係判定処理の手順を示すフローチャートである。同図において、ステップＳ９８０１で、固定指示位置間角度取得処理が起動され、２つの固定指示位置間の角度を取得する。次にステップＳ９８０２で、移動指示位置間角度取得処理が起動され、２つの固定指示位置間のうちの任意の一方と移動指示位置との間の角度を取得する。次にステップＳ９８０３で、指示位置間関係判定処理が起動され、取得された固定指示位置間角度と、移動指示位置間角度との関係を判定する。次にステップＳ９８０４で、指示位置間関係変化取得処理が起動され、関係の変化を取得する。
【０１４９】
図９９は、指示位置間関係判定処理の手順を示すフローチャートである。同図において、ステップＳ９９０１で、取得された固定指示位置間角度が移動指示位置間角度より小さかった場合には、ステップＳ９９０２に進み、指示位置関係を右回転方向と判定する。固定指示位置間角度と移動指示位置間角度が一致する場合には、ステップＳ９９０３に進み、指示位置関係を一致と判定する。固定指示位置間角度が移動指示位置間角度より大きかった場合には、ステップＳ９９０４に進み、指示位置関係を左回転方向と判定する。
【０１５０】
図１００は、指示位置間関係変化取得処理の手順を示すフローチャートである。同図において、ステップＳ１０００１で、初期位置と最新位置が一致しなかった場合には、ステップＳ１０００２に進み、さらに初期位置関係が一致でなかった場合には、ステップＳ１０００３に進み、さらに最新位置関係が一致でなかった場合には、ステップＳ１０００４に進み、位置関係を逆転として解釈する。
【０１５１】
図１０１は、固定指示位置と移動指示位置との位置関係に基づく指示解釈処理の手順を示すフローチャートである。同図において、ステップＳ１０１０１で、判定された位置関係変化が逆転であった場合には、ステップＳ１０１０２に進み、行うべき操作を固定指示位置間を挟んだ対象反転として解釈する。
【０１５２】
図１０２は、対称反転として解釈される操作例を示す図である。同図において、固定指示位置である点Ａ及びＢに対して移動指示位置点Ｃｔ１があり、この点が移動指示位置点Ｃｔ５へと移動する場合、対称反転操作であると解釈する。
【０１５３】
図１０３は、対称反転操作として解釈される場合のデータ例を示す図である。同図において、グラフ１０３０１のように固定指示位置点Ａ（３，１）及び、固定指示位置点Ｂ（４，６）があり、固定指示位置間角度は７８．６９°であり、移動開始時ｔ１において、移動指示位置が点Ｃｔ１（５，３）であり、固定指示位置点Ａに対する移動指示位置間角度ｔ１は４５．００°である。この時、移動指示位置点Ｃｔ１は、固定指示位置間線分ＡＢの右側にある。移動終了時ｔ５において移動指示位置点がＣｔ５（３，３）であり、固定指示位置点１Ａに対する移動指示位置間角度ｔ５は９０．００°であり、移動指示位置点Ｃｔ５は、固定指示位置間線分ＡＢの左側にある。
【０１５４】
テーブル１０３０２は、ｔ１からｔ５における固定指示位置点Ａ、点Ｂ、及び移動指示位置点Ｃの位置データを示すものである。テーブル１０３０３は、２つの固定指示位置と移動指示位置の位置関係を示すものであり、固定指示位置と移動指示位置の位置関係データにおいて、固定指示位置間角度はｔ１からｔ５の間７８．６９°と一定であり、移動指示位置間角度はｔ１において４５．００°であり、以後増加を続け、ｔ５において固定指示位置間角度より大きい９０．００°となっている。
【０１５５】
〔実施形態１３〕
本実施形態では、取得された２個所以上の指示位置の移動軌跡の組み合わせから行うべき操作を解釈する際に、固定指示位置３個所と移動指示位置との位置関係変化に着目した例について具体的に説明する。
【０１５６】
図１０４は、固定指示位置が三個所以上ある場合の処理の流れを示す図である。同図において、ステップＳ１０４０１で固定指示位置が三個所以上であった場合には、ステップＳ１０４０２に進み、複数固定指示位置に対する移動指示位置の位置関係判定処理が起動され、既に検出された三個所以上の固定指示位置に対する移動指示位置の位置関係を判定する。ステップＳ１０４０３で、複数固定指示位置に対する移動指示位置の位置関係に基づく指示解釈処理が起動され、判定された位置関係に応じて行なうべき操作を解釈する。
【０１５７】
図１０５は、複数固定指示位置に対する移動指示位置の位置関係判定処理の手順を示すフローチャートである。同図において、ステップＳ１０５０１で固定指示位置間角度取得処理が起動され、固定指示位置間の角度を取得し、次にステップＳ１０５０２で、移動指示位置間角度取得処理が起動され、取得された固定指示位置のうち任意の固定指示位置と移動指示位置との角度を取得する。次に、ステップＳ１０５０３で、指示位置間関係判定処理が駆動され、取得された固定指示位置間角度と移動指示位置間角度の関係を判定する。次に、ステップＳ１０５０４で指示位置間関係変化取得処理が起動され、取得された関係の変化を取得する。
【０１５８】
図１０６は、固定指示位置が三個所以上ある場合の指示位置間位置関係判定処理の手順を示すフローチャートである。同図において、ステップＳ１０６０１で、取得対象固定指示位置を、固定指示位置テーブルの固定指示位置リストより取得し、次にステップＳ１０６０２で、取得した固定指示位置リストより先頭固定指示位置を取得する。次に、ステップＳ１０６０３において、取得対象固定指示位置が、固定指示位置リストの末尾固定指示位置よりリスト順位が小さい場合には、ステップＳ１０６０４に進み、固定指示位置を取得する。続いて、ステップＳ１０６０５において、移動指示位置間角度が、取得された固定指示位置に対して最大角を作る固定指示位置間角度以下である場合には、ステップＳ１０６０６に進み、取得された固定指示位置に対して最小角を作る固定指示位置間角度以上である場合には、ステップＳ１０６０７に進み、固定指示位置リストを次に進める。
【０１５９】
ステップＳ１０６０３において、取得対象固定指示位置が、固定指示位置リストが末尾固定指示位置に達した場合には、ステップＳ１０６０８に進み、領域内であるとして解釈する。ステップＳ１０６０５において、移動指示位置間角度が、取得された固定指示位置に対して最大角を作る固定指示位置間角度より大きい場合、または、ステップＳ１０６０６において、取得された固定指示位置に対して最小角を作る固定指示位置間角度より小さい場合には、ステップＳ１０６０９に進み、領域外であるとして解釈する。
【０１６０】
図１０７は、複数固定指示位置に対する移動指示位置の位置関係が固定指示位置間領域内として解釈される操作例を示す図である。同図において、１０７０１のように固定指示位置点Ａ、点Ｂ、点Ｃで囲まれた領域に対して、移動指示位置点Ｄｔ１の位置関係は固定指示位置間領域内でとして解釈される。
【０１６１】
図１０８は、指示位置間位置関係判定処理により、複数固定指示位置に対する移動指示位置の位置関係が固定指示位置間領域内として解釈される操作のデータ例を示す図である。同図において、グラフ１０８０１のように、固定指示位置点Ａ（３，１）、固定指示位置点Ｂ（４，６）、固定指示位置点Ｃ（６，５．５）、及び移動指示位置点Ｄｔ１（４，４）があり、固定指示位置点Ａに対する点Ｄｔ１の角度ＤＡＯ  ７１．５７°は、固定指示位置点Ａを中心とした角度ＢＡＯ  ７８．６９°と角度ＣＡＯ  ５６．３１°の間にあり、同時に、固定指示位置点Ｂに対する点Ｄｔ１の角度Ｏ’ＢＤ  −９０．００°は、固定指示位置点Ｂを中心とした角度Ｏ’ＢＡ  １０１．３１°と角度Ｏ’ＢＣ  １４．０４°の間にある。
【０１６２】
テーブル１０８０２は、ｔ１からｔ５における固定指示位置点Ａ、点Ｂ、点Ｃ、及び移動指示位置点Ｄの位置データを示すものである。テーブル１０８０３は、固定指示位置と移動指示位置の位置関係変化を示すものであり、位置関係変化データにおいて、固定指示位置点Ａに対する移動指示位置点Ｄの角度ＤＡＯ７１．５７°は、固定指示位置間角度ＢＡＯ７８．６９°と固定指示位置間角度ＣＡＯ５６．３１°の間にあり、また、固定指示位置点Ｂに対する移動指示位置点Ｄの角度Ｏ’ＢＤ  ９０．００°は、固定指示位置間角度Ｏ’ＢＡ−１０１．３１°と固定指示位置間角度Ｏ’ＢＣ−１４．０４°の間にある。
【０１６３】
図１０９は、指示位置間の位置関係変化の取得処理の手順を示すフローチャートである。同図において、ステップＳ１０９０１で、判定された位置関係変化が領域内から領域外への移動であった場合は、ステップＳ１０９０２に進み、領域外移動として解釈する。ステップＳ１０９０１において、位置関係変化が領域内から領域外への移動でなかった場合には、ステップＳ１０９０３に進み、位置関係変化が領域外から領域内への移動であった場合には、ステップＳ１０９０４に進み、領域内移動として解釈する。
【０１６４】
図１１０は、指示位置間位置関係変化判定処理により、固定指示位置間領域外移動として解釈される操作例を示す図である。同図において、固定指示位置点Ａ、点Ｂ、点Ｃで囲まれた領域に対して、移動指示位置点Ｄｔ１が、点Ｄｔ５へと移動する場合、複数固定指示位置に対する移動指示位置の位置関係を固定指示位置間の領域外移動として解釈する。
【０１６５】
図１１１は、指示位置間位置関係変化判定処理により、固定指示位置間領域外移動として解釈される操作のデータ例を示す図である。同図において、グラフ１１１０１のように移動開始時ｔ１において、固定指示位置点Ａ（３，１）、固定指示位置点Ｂ（４，６）、固定指示位置点Ｃ（６，５．５）、及び移動指示位置点Ｄｔ１（４，４）があり、固定指示位置点Ａに対する点Ｄｔ１の角度ＤＡＯ  ７１．５７°は、固定指示位置点Ａを中心とした角度ＢＡＯ  ７８．６９°と角度ＣＡＯ  ５６．３１°の間にあり、同時に、固定指示位置点Ｂに対する点Ｄｔ１の角度Ｏ’ＢＤ  −９０．００°は、固定指示位置点Ｂを中心とした角度Ｏ’ＢＡ  １０１．３１°と角度Ｏ’ＢＣ  １４．０４°の間にある。移動終了時ｔ５において、移動指示位置点Ｄｔ５（３，４）があり、固定指示位置点Ａに対する点Ｄｔ５の角度ＤＡＯ  ９０．００°は、固定指示位置点Ａを中心とした角度ＢＡＯ  ７８．６９°と角度ＣＡＯ  ５９．０４°の外にあり、同時にまた、固定指示位置点Ｂに対する点Ｄｔ５の角度Ｏ’ＢＤ  −１１６．５７°は、固定指示位置点Ｂを中心とした角度Ｏ’ＢＡ  １０１．３１°と角度Ｏ’ＢＣ  １４．０４°の外にある。
【０１６６】
テーブル１１１０２は、ｔ１からｔ５における固定指示位置点Ａ、点Ｂ、点Ｃ、及び移動指示位置点Ｄの位置データを示すものである。テーブル１１１０３は、固定指示位置と移動指示位置の位置関係変化を示すものであり、位置関係変化データにおいて、固定指示位置点Ａに対する移動指示位置点Ｄの角度ＤＡＯ、及び、固定指示位置点Ｂに対する移動指示位置点Ｄの角度Ｏ’ＢＤ  は、ｔ１からｔ３の間は固定指示位置領域内に存在し、ｔ４において領域外に移動している。
【０１６７】
図１１２は、複数固定指示位置と移動指示位置との位置関係に基づく指示解釈処理の手順を示すフローチャートである。同図において、ステップＳ１１２０１で、判定された位置関係変化が領域外移動であった場合は、ステップＳ１１２０２に進み、行うべき操作を固定指示位置間領域内の削除として解釈する。ステップＳ１１２０１において、位置関係変化が領域外移動でなかった場合には、ステップＳ１１２０３に進み、さらに位置関係変化が領域内移動であった場合には、ステップＳ１１２０４に進み、行うべき操作を固定指示位置間領域内への属性付与として解釈する。なお、この場合の固定指示位置間領域内への属性付与とは、固定指示位置間領域内への色付けを含む。
【０１６８】
図１１３は、固定指示位置間領域内への属性付与として解釈されるもののうち、固定指示位置間領域内への色付けとして解釈される操作例を示す図である。同図において、固定指示位置点Ａ、点Ｂ、点Ｃで囲まれた領域に対して、移動指示位置点Ｄｔ１が点Ｄｔ５へと移動する場合、行うべき操作を固定指示位置間領域内への色付けとして解釈する。
【０１６９】
図１１４は、対複数固定指示位置間位置関係対応指示解釈処理により、固定指示位置間領域内への属性付与として解釈されるもののうち、固定指示位置間領域内への色付けとして解釈される場合の操作のデータ例を示す図である。同図において、１１４３１のように移動開始時ｔ１において、固定指示位置点Ａ（３，１）、固定指示位置点Ｂ（４，６）、固定指示位置点Ｃ（６，５．５）、及び移動指示位置点Ｄｔ１（３，４）があり、固定指示位置点Ａに対する点Ｄｔ１の角度ＤＡＯ  ９０．００°は、固定指示位置点Ａを中心とした角度ＢＡＯ  ７８．６９°と角度ＣＡＯ  ５６．３１°の外にあり、同時に、固定指示位置点Ｂに対する点Ｄｔ１の角度Ｏ’ＢＤ  １１６．５７°は、固定指示位置点Ｂを中心とした角度Ｏ’ＢＡ  １０１．３１°と角度Ｏ’ＢＣ  １４．０４°の外にある。移動終了時ｔ５において、移動指示位置点Ｄｔ５（４，４）があり、固定指示位置点Ａに対する点Ｄｔ５の角度ＤＡＯ  ７１．５７°は、固定指示位置点Ａを中心とした角度ＢＡＯ  ７８．６９°と角度ＣＡＯ  ５９．０４°の間にあり、同時にまた、固定指示位置点Ｂに対する点Ｄｔ５の角度Ｏ’ＢＤ  ９０．００°は、固定指示位置点Ｂを中心とした角度Ｏ’ＢＡ  １０１．３１°と角度Ｏ’ＢＣ  １４．０４°の間にある。
【０１７０】
テーブル１１４３２は、ｔ１からｔ５における固定指示位置点Ａ、点Ｂ、点Ｃ、及び移動指示位置点Ｄの位置データを示すものである。テーブル１１４３３は、固定指示位置と移動指示位置の位置関係変化を示すものであり、位置関係変化データにおいて、固定指示位置点Ａに対する移動指示位置点Ｄの角度ＤＡＯ、及び、固定指示位置点Ｂに対する移動指示位置点Ｄの角度Ｏ’ＢＤ  は、ｔ１からｔ３の間は固定指示位置領域外に存在し、ｔ４において領域内に移動している。
【０１７１】
〔実施形態１４〕
本実施形態では、取得された２個所以上の指示位置の移動軌跡の組み合わせから行うべき操作を解釈する際に、複数指示位置の指示位置数変化に着目した例について具体的に説明する。
【０１７２】
図１１５は、複数指示位置の指示位置数変化を用いた指示解釈処理の手順を示すフローチャートである。同図において、ステップＳ１１４０１で指示位置数取得処理が起動されて、指示位置数が取得され、続くステップＳ１１４０２で、指示位置数変化取得処理が起動し、指示位置数変化が取得される。次にステップＳ１１４０３で、指示位置数変化に基づく指示解釈処理が起動され、取得された指示位置数に応じて行なうべき操作を解釈する。
【０１７３】
図１１６は、初期指示位置数変化に基づく指示解釈処理の手順を示すフローチャートである。同図において、ステップＳ１１６０１で、初期指示位置数と現在指示位置数を比較し、ステップＳ１１６０２において、初期指示位置数より増加している場合には、ステップＳ１１６０３に進み、操作対象指定途中であると解釈する。
【０１７４】
図１１７は、初期指示位置数変化に基づく指示解釈処理により、操作対象指定途中であると解釈される場合の操作例を示す図である。時刻ｔ１において、初期指示位置点Ａｔ１とＢｔ１があり、指示位置数は２つであり、時刻ｔ２において、指示位置点Ａｔ２とＢｔ２とＣｔ２とがあり、指示位置数は３つで、時刻ｔ１より１つ増加している。
【０１７５】
図１１８は、操作対象指定途中であると解釈される場合の操作のデータ例を示す図である。グラフ１１８０１のように、時刻ｔ１において、指示位置点Ａｔ１と、指示位置点Ｂｔ１があり、指示位置数は２つであり、時刻ｔ２において、指示位置点Ａｔ２と、指示位置点Ｂｔ２と、指示位置点Ｃｔ２があり、指示位置数は３つである。テーブル１１８０２は、ｔ１からｔ３における指示位置点Ａ及び、指示位置点Ｂ及び、指示位置点Ｃの位置データを示すものである。テーブル１１８０３は、指示位置数の変化を示すものであり、指示位置数データにおいて、時刻ｔ１の時、指示位置数は２であり、初期指示位置数変化は０である。時刻ｔ２の時、指示位置数は３であり、初期指示位置数変化は１である。
【０１７６】
図１１９は、初期指示位置を基準にした指示位置数変化に基づく指示解釈処理の手順を示すフローチャートである。同図において、初期指示位置数変化対応指示解釈処理が起動されると、ステップＳ１１９０１で、初期指示位置取得処理が起動され、最初の指示位置を取得する。続いて、ステップＳ１１９０２において、取得された指示位置数が初期指示位置数より増加している場合には、ステップＳ１１９０３に進み、初期指示位置基準指示解釈処理が起動され、取得された初期指示位置を基準として、行なうべき操作を解釈する。
【０１７７】
図１２０は、初期指示位置を基準にした指示解釈処理の手順を示すフローチャートである。同図において、ステップＳ１２００１で、指示位置数が一個所であった場合には、ステップＳ１２００２に進み、行うべき操作を、取得された指示位置を中心とした回転操作であると解釈する。
【０１７８】
図１２１は、指示位置を中心とした回転操作であると解釈される場合の操作例を示す図である。時刻ｔ１において初期指示位置点Ａがあり、時刻ｔ５において、指示位置点Ａがあり、指示位置点Ｂｔ５が指示位置点Ｂｔ３から移動してきた場合、指示位置点Ａを中心とした回転操作であると解釈される。
【０１７９】
図１２２は、指示位置を中心とした回転操作として解釈される場合のデータ例を示す図である。グラフ１２２０１のように、指示位置点Ａが時刻ｔ１からｔ６の間同一座標（３，３）にあり、指示位置点Ｂは、時刻ｔ３の時には点Ｂｔ３（６，２．８）にあり、時刻ｔ４の時には点Ｂｔ４（５．６，３．５）にあり、時刻ｔ５の時には点Ｂｔ５（５．２，４．２）にあり、時刻ｔ６の時には点Ｂｔ６（５，５）へと移動している。テーブル１２２０２は、時刻ｔ１からｔ６における指示位置点Ａ及びＢの位置データを示すものである。テーブル１２２０３は、指示位置数の変化を示すものであり、指示位置数データにおいて、時刻ｔ１及びｔ２の時、指示位置数は１であり、初期指示位置数変化は０である。時刻ｔ３の時、指示位置数は２であり、初期指示位置数変化は１である。以後、時刻ｔ６まで指示位置数は変化していない。
【０１８０】
〔実施形態１５〕
本実施形態では、取得された２個所以上の指示位置の移動軌跡の組み合わせから行うべき操作を解釈する際に、複数指示位置の最終指示位置数変化に着目した例について具体的に説明する。
【０１８１】
図１２７は、最終指示位置数変化を用いた処理の手順を示すフローチャートである。同図において、ステップＳ１２３０１で最終指示位置数変化取得処理が起動し、最終指示位置数変化が取得される。ステップＳ１２３０２で最終指示位置数変化に基づく指示解釈処理を行う。
【０１８２】
図１２４は、最終指示位置数変化に基づく指示解釈処理の手順を示すフローチャートである。同図において、ステップＳ１２４０１で、指示位置数が減少していた場合には、ステップＳ１２４０２に進み、直前の操作に対するキャンセル指示として解釈する。ステップＳ１２４０１で、指示位置数が減少していない場合には、ステップＳ１２４０３に進み、直前の操作に対する了承指示として解釈する。
【０１８３】
図１２５は、最終指示位置数変化に基づく指示解釈処理において、キャンセル指示操作として解釈される場合の操作例を示す図である。時刻ｔ１において、初期指示位置点Ａｔ１とＢｔ１とＣｔ１があり、指示位置数は３つであり、時刻ｔ２において、指示位置点Ａｔ２とＢｔ２とがあり、指示位置数は２つであり、時刻ｔ１より１つ減少している。
【０１８４】
図１２６は、最終指示位置数変化に基づく指示解釈処理において、キャンセル指示操作として解釈される場合の操作のデータ例を示す図である。グラフ１２６０１のように、時刻ｔ１において、指示位置点Ａｔ１とＢｔ１とＣｔ１があり、指示位置数は３つであり、時刻ｔ２において、指示位置点Ａｔ２とＢｔ２があり、指示位置数は２つである。テーブル１２６０２は、時刻ｔ１からｔ２における指示位置点Ａ、Ｂ、Ｃの位置データを示すものである。テーブル１２６０３は、指示位置数の変化を示すものであり、指示位置数データにおいて、時刻ｔ１の時、指示位置数は３であり、初期指示位置数変化は０である。時刻ｔ２の時、指示位置数は２であり、初期指示位置数変化は−１である。
【０１８５】
〔実施形態１６〕
本実施形態では、取得された２個所以上の指示位置の移動軌跡の組み合わせから行うべき操作を解釈する際に、指示軌跡以外の指示情報として指示位置数に着目した例について具体的に説明する。
【０１８６】
図１２７は、指示軌跡以外の指示情報を用いた処理の手順を示すフローチャートである。同図において、ステップＳ１２７０１で指示情報取得処理が起動され、指示軌跡以外の指示情報が取得される。次にステップＳ１２７０２において、操作が繰り返されていない場合には、ステップＳ１２７０３に進み、指示情報に基づく指示解釈処理が起動され、取得した指示情報に基づいて行うべき操作を解釈する。ステップＳ１２７０２において、操作が繰り返されている場合には、ステップＳ１２７０３に進み、中断操作解釈処理が起動され、操作を中断するよう解釈し、ステップＳ１２７０３に進む。
【０１８７】
図１２８は、指示軌跡以外の指示情報を用いた指示解釈処理の手順を示すフローチャートである。同図において、ステップＳ１２８０１で指示情報が最大判定値以上であった場合には、ステップＳ１２８０２に進み、最大操作量として解釈する。ステップＳ１２８０１において、指示情報が最大判定値に満たない場合には、ステップＳ１２８０３に進み、さらに指示情報が繰り返し判定値以上であった場合は、ステップＳ１２８０４に進み、操作量を大きくするよう解釈し、次にステップＳ１２８０５に進み、繰り返し間隔を減少するよう解釈する。ステップＳ１２８０３において、指示情報が繰り返し判定値に満たない場合には、ステップＳ１２８０６に進み、操作量を大きくするよう解釈する。
【０１８８】
図１２９は、全指示位置数を用いた処理の手順を示すフローチャートである。同図において、ステップＳ１２９０１で、全指示位置数取得処理が起動され、全指示位置数を取得する。
【０１８９】
図１３０は、指示軌跡以外の指示情報として指示位置数を用いた処理の手順を示すフローチャートである。同図において、ステップＳ１３００１で指示位置数が最大判定値以上であった場合には、ステップＳ１３００２に進み、最大ページ数、または最大画面数、または最大項目数、または最大縮尺倍率として解釈する。ステップＳ１３００１において、指示位置数が最大判定値に満たない場合には、ステップＳ１３００３に進み、さらに指示位置数が繰り返し判定値以上であった場合は、ステップＳ１３００４に進み、ページ数増加、または画面数増加、または項目数増加、または縮尺倍率増加、を大きくするよう解釈し、次にステップＳ１３００５に進み、繰り返し間隔を減少するよう解釈する。ステップＳ１３００３において、指示位置数が繰り返し判定値に満たない場合には、ステップＳ１３００６に進み、ページ数増加、または画面数増加、または項目数増加、または縮尺倍率増加、を大きくするよう解釈する。次に、ステップＳ１３００７に進み、ページ移動操作、または画面移動操作、または項目移動操作、または拡大縮小操作として解釈する。
【０１９０】
図１３１は、ページめくり操作として解釈される場合の操作例を示す図である。時刻ｔ１において、指示位置点Ａｔ１及び点Ｂｔ１があり、全指示位置数が２である場合と、時刻ｔ２において、指示位置点Ａｔ２及び点Ｂｔ２の他に、指示位置点Ｃｔ２と点Ｄｔ２があり、全指示位置数が４の場合とでは、全指示位置数が多い時刻ｔ２の方が、ページめくり操作における操作対象ページ数が大であると解釈する。
【０１９１】
図１３２は、ページめくり操作として解釈される場合の操作のデータ例を示す図である。グラフ１３２０１のように、時刻ｔ１において、指示位置点Ａｔ１とＢｔ１があり、全指示位置数は２つであり、時刻ｔ２において、指示位置点Ａｔ２とＢｔ２とＣｔ２とＤｔ２とがあり、全指示位置数は４つである。テーブル１３２０２は、時刻ｔ１からｔ２における指示位置点Ａ、Ｂ、Ｃ、Ｄの位置データを示すものである。テーブル１３２０３は、指示位置数の変化を示すものであり、指示位置数データにおいて、時刻ｔ１の時、増加指示位置数は２であり、全指示位置数は３である。時刻ｔ２の時、増加指示位置数は２であり、全指示位置数は５である。
【０１９２】
〔実施形態１７〕
本実施形態では、取得された２個所以上の指示位置の移動軌跡の組み合わせから行うべき操作を解釈する際に、指示軌跡以外の指示情報として指示位置移動速度に着目した例について具体的に説明する。
【０１９３】
図１３３は、指示軌跡以外の情報として、指示位置移動速度を用いる処理の手順を示すフローチャートである。同図において、ステップＳ１３３０１で指示位置移動速度取得処理が起動され、指示位置の移動速度が取得される。ステップＳ１３３０２で指示位置移動速度に基づく指示解釈処理が起動され、指示位置の移動速度に基づいて指示が解釈される。
【０１９４】
図１３４は、指示位置移動速度取得処理の手順を示すフローチャートである。同図において、ステップＳ１３４０１で直前の指示位置からの移動距離を取得し、次にステップＳ１３０４２で、取得した距離と時間より速度を算出する。
【０１９５】
図１３５は、指示軌跡以外の指示情報として指示位置移動速度を用いた指示解釈処理の手順を示すフローチャートである。同図において、ステップＳ１３５０１で指示位置速度が最大判定値以上であった場合には、ステップＳ１３５０２に進み、最大ページ数、または最大画面数、または最大項目数、または最大縮尺倍率として解釈する。ステップＳ１３５０１において、指示位置速度が最大判定値に満たない場合には、ステップＳ１３５０３に進み、さらに指示位置速度が繰り返し判定値以上であった場合は、ステップＳ１３５０４に進み、ページ数増加、または画面数増加、または項目数増加、または縮尺倍率増加、を大きくするよう解釈し、次にステップＳ１３５０５に進み、繰り返し間隔を減少するよう解釈する。ステップＳ１３５０３において、指示位置速度が繰り返し判定値に満たない場合には、ステップＳ１３５０６に進み、ページ数増加、または画面数増加、または項目数増加、または縮尺倍率増加、を大きくするよう解釈する。次に、ステップＳ１３５０７に進み、ページ移動操作、または画面移動操作、または項目移動操作、または拡大縮小操作として解釈する。
【０１９６】
図１３６は、指示位置移動速度を用いてページめくり操作として解釈される場合の操作例を示す図である。指示位置点Ａ及び点Ｂが、時刻ｔ１から時刻ｔ５のように移動する場合と、指示位置点Ａ’及び点Ｂ’が、時刻ｔ１から時刻ｔ５のように移動する場合、同じ時間内における移動速度は後者の方が大きいとして解釈する。
【０１９７】
図１３７は、指示位置移動速度を用いてページめくり操作として解釈される場合の操作のデータ例を示す図である。グラフ１３７０１のように、時刻ｔ１において、指示位置点Ａと指示位置点Ｂの組み合わせが、指示位置点Ａｔ１と指示位置点Ａ’ｔ１が同一座標（４，２）にあり、また指示位置点Ｂｔ１と指示位置点Ｂ’ｔ１が同一座標（５，３）にあり、時刻ｔ５において、それぞれの座標が指示位置点Ａｔ５（３，３）、指示位置点Ｂｔ５（４，４）に、指示位置点Ａ’ｔ５（３，４）、指示位置点Ｂ’ｔ５（４，５）に移動している。
【０１９８】
テーブル１３７０２は、ｔ１からｔ５における指示位置点Ａ、Ｂ、Ａ’、Ｂ’の位置データを示すものである。テーブル１３７０３は、指示位置の移動速度を示すものであり、指示位置移動速度データにおいて、各指示位置の移動速度及び速度増加量により、指示位置点Ａ’の移動速度０．５５９及び指示位置点Ｂ’の移動速度０．５５９は、指示位置点Ａの移動速度０．３５４及び指示位置点Ｂの移動速度０．２８３より大きい。
【０１９９】
〔実施形態１８〕
本実施形態では、取得された２個所以上の指示位置の移動軌跡の組み合わせから行うべき操作を解釈する際に、指示軌跡以外の指示情報として指示位置の接触圧力に着目した例について具体的に説明する。
【０２００】
図１３８は、指示軌跡以外の情報として、指示位置接触圧力を用いた処理の手順を示すフローチャートである。同図において、ステップＳ１３８０１で指示位置接触圧力取得処理が起動され、指示位置の接触圧力が取得される。ステップＳ１３８０２で指示位置接触圧力に基づく指示解釈処理が起動され、指示位置の接触圧力に基づいて指示が解釈される。
【０２０１】
図１３９は、指示位置接触圧力に基づく指示解釈処理の手順を示すフローチャートである。同図において、指示情報対応指示解釈処理が起動されると、ステップＳ１３９０１で指示位置接触圧力が最大判定値以上であった場合には、ステップＳ１３９０２に進み、最大画面数、または最大項目数、または最大縮尺倍率として解釈する。ステップＳ１３９０１において、指示位置接触圧力が最大判定値に満たない場合には、ステップＳ１３９０３に進み、さらに指示位置接触圧力が繰り返し判定値以上であった場合は、ステップＳ１３９０４に進み、画面数増加、または項目数増加、または縮尺倍率増加、を大きくするよう解釈し、次にステップＳ１３９０５に進み、繰り返し間隔を減少するよう解釈する。ステップＳ１３９０３において、指示位置接触圧力が繰り返し判定値に満たない場合には、ステップＳ１３９０６に進み、画面数増加、または項目数増加、または縮尺倍率増加、を大きくするよう解釈する。次に、ステップＳ１３９０７に進み、画面移動操作、または項目移動操作、または拡大縮小操作として解釈する。
【０２０２】
図１４０は、指示位置接触圧力により画面移動操作として解釈される場合の操作例を示す図である。指示位置点Ａｔ１（３，３）及び点Ｂｔ１（４，４）と、指示位置点Ａｔ５（３，３）及び点Ｂｔ５（４，４）では、後者の方が接触圧力が大きいとして解釈する。
【０２０３】
図１４１は、指示位置接触圧力により画面移動操作として解釈される操作のデータ例を示す図である。グラフ１４１０１のように、時刻ｔ１から時刻ｔ５において、指示位置点Ａｔ１（３，３）及び点Ｂｔ１（４，４）から指示位置点Ａｔ５（３，１）及びＢｔ５（４，２）へ、同様に指示位置点Ｃｔ１（３，３）及び点Ｄｔ１（４，４）から指示位置点Ｃｔ５（３，１）、Ｄｔ５（４，２）へと移動している。テーブル１４１０２は、ｔ１からｔ５における指示位置点Ａ、指示位置点Ｂ、指示位置点Ｃ、指示位置点Ｄの位置データを示すものである。テーブル１４１０３は、指示位置の接触圧力を示すものであり、指示位置接触圧力データにおいて、指示位置点Ａ及び指示位置点Ｂの、時刻ｔ１からｔ５における接触圧力変化より、指示位置点Ｃ及び指示位置点Ｄの接触圧力変化の方が大きい。
【０２０４】
〔実施形態１９〕
本実施形態では、取得された２個所以上の指示位置の移動軌跡の組み合わせから行うべき操作を解釈する際に、指示軌跡以外の指示情報として複数指示位置の移動距離に着目した例について具体的に説明する。
【０２０５】
図１４２は、指示軌跡以外の情報として、複数指示位置の移動距離を用いた処理の手順を示すフローチャートである。同図において、ステップＳ１４２０１で指示位置移動距離取得処理が起動され、指示位置の移動距離が取得される。ステップＳ１４２０２で指示位置移動距離に基づく指示解釈処理が起動され、指示位置の移動距離に基づいて指示が解釈される。
【０２０６】
図１４３は、複数指示位置の移動距離に基づく指示解釈処理の手順を示すフローチャートである。同図において、指示情報対応指示解釈処理が起動されると、ステップＳ１４３０１で指示位置移動距離が最大判定値以上であった場合には、ステップＳ１４３０２に進み、最大ページ数、または最大画面数、または最大項目数、または最大縮尺倍率として解釈する。ステップＳ１４３０１において、指示位置移動距離が最大判定値に満たない場合には、ステップＳ１４３０３に進み、さらに指示位置移動距離が繰り返し判定値以上であった場合は、ステップＳ１４３０４に進み、ページ数増加、または画面数増加、または項目数増加、または縮尺倍率増加、を大きくするよう解釈し、次にステップＳ１４３０５に進み、繰り返し間隔を減少するよう解釈する。ステップＳ１４３０３において、指示位置移動距離が繰り返し判定値に満たない場合には、ステップＳ１４３０６に進み、ページ数増加、または画面数増加、または項目数増加、または縮尺倍率増加、を大きくするよう解釈する。次に、ステップＳ１４３０７に進み、ページ移動操作、または画面移動操作、または項目移動操作、または拡大縮小操作として解釈する。
【０２０７】
図１４４は、ページめくり操作として解釈される場合の操作例を示す図である。時刻ｔ１における指示位置点Ａｔ１（４，２）及び点Ｂｔ１（５，３）が、時刻ｔ５において指示位置点Ａｔ５（３，３）及び点Ｂｔ５（４，４）のように移動する場合と、時刻ｔ１における指示位置点Ａ’ｔ１（４，２）及び点Ｂ’ｔ１（５，３）が、時刻ｔ５において指示位置点Ａ’ｔ５（３，６）及び点Ｂ’ｔ５（４，７）のように移動する場合とでは、後者の方が移動距離大きいとして解釈する。
【０２０８】
図１４５は、ページめくり操作として解釈される操作のデータ例を示す図である。グラフ１４５０１のように、時刻ｔ１において、指示位置点Ａと指示位置点Ｂの組み合わせが、指示位置点Ａｔ１と指示位置点Ａ’ｔ１が同一座標（４，２）にあり、また指示位置点Ｂｔ１と指示位置点Ｂ’ｔ１が同一座標（５，３）にあり、時刻ｔ５において、それぞれの座標が指示位置点Ａｔ５（３，３）、指示位置点Ｂｔ５（４，４）に、指示位置点Ａ’ｔ５（３，６）、指示位置点Ｂ’ｔ５（４，７）に移動している。テーブル１４６０２は、時刻ｔ１からｔ５における指示位置点Ａ、Ｂ、Ａ’、Ｂ’の位置データを示すものである。テーブル１４６０３は、複数指示位置の移動距離を示すものであり、指示位置の移動距離データにおいて、各指示位置の移動距離及び移動距離増加量により、指示位置点Ａ’の移動距離４．１２３及び指示位置点Ｂ’の移動距離４．１２３は、指示位置点Ａの移動距離１．４１４及び指示位置点Ｂの移動距離１．１３１より大きい。
【０２０９】
〔実施形態２０〕
本実施形態では、取得された２個所以上の指示位置の移動軌跡の組み合わせから行うべき操作を解釈する際に、複数指示位置の不動時間に着目した例について具体的に説明する。
【０２１０】
図１４６は、複数指示位置の不動時間を用いた処理の手順を示すフローチャートである。同図において、ステップｓ１４６０１で指示位置不動時間取得処理が起動され、指示位置の不動時間が取得される。次にステップｓ１４６０２において、指示位置が一定時間不動であった場合には、ステップｓ１４６０３に進み、範囲指定操作として解釈し、表示上で指定範囲を他と識別可能な形態で明示する。ステップｓ１４６０２において、指示位置が不動でなかった場合には、ステップｓ１４６０４に進み、指定範囲に対する操作として解釈する。
【０２１１】
図１４７は、複数指示位置の不動時間を用いた処理において、範囲指定操作として解釈される操作例を示す図である。時刻ｔ１において、指示位置点Ａｔ１とＢｔ１が任意の文字列上にあり、時刻ｔ５において、指示位置点Ａｔ５及びＢｔ５が同じ文字列上にある場合、指示位置間の領域を指定したと解釈される。
【０２１２】
図１４８は、複数指示位置の不動時間を用いた処理において、範囲指定操作として解釈される場合のデータ例を示す図である。グラフ１４８０１のように、指示位置点Ａ（３，３）は、時刻ｔ１からｔ５の間、同一座標にあり、指示位置点Ｂ（４，４）もまた、時刻ｔ１からｔ５の間、同一座標にある。テーブル１４８０２は、指示位置の時刻ｔ１からｔ５における指示位置点Ａ及びＢの位置データを示すものである。テーブル１４８０３は、指示位置の移動量を示すものであり、指示位置移動データにおいて、指示位置点Ａの移動量は、時刻ｔ１には０であり、ｔ２以降時刻ｔ５においても０である。指示位置点Ｂの移動量も同様に時刻ｔ１からｔ５まで０であり、指示位置点Ａと点Ｂが、時刻ｔ１からｔ５において不動であることが分かる。
【０２１３】
図１４９は、複数指示位置の不動時間を用いた処理において、指定範囲に対する拡大操作として解釈される場合の操作例を示す図である。時刻ｔ５において、指示位置点Ａｔ５と、指示位置点Ｂｔ５が任意の文字列上にあり、時刻ｔ６において、指示位置点Ａｔ６及び、指示位置点Ｂｔ６がそれぞれｔ５の位置より移動した場合、指定された指定範囲に対する拡大操作であると解釈される。
【０２１４】
図１５０は、複数指示位置の不動時間を用いた処理において、指定範囲に対する拡大操作として解釈される場合のデータ例を示す図である。グラフ１５００１のように、指示位置点Ａ（３，３）及びＢ（４，４）は、時刻ｔ１からｔ５の間同一座標にあり、指示位置点Ａｔ６（２，２．５）及びＢｔ６（４，４）は、それぞれ時刻ｔ５における位置から見て、他方の指示位置から遠ざかる方向に存在している。テーブル１５００２は、指示位置の時刻ｔ１からｔ６における指示位置点Ａ及び、指示位置点Ｂの位置データを示すものである。テーブル１５００３は、指示位置の時間変化を示すものであり、指示位置移動データにおいて、指示位置点Ａ及び指示位置点Ｂの移動量は、時刻ｔ１からｔ５の間０であり、指示位置ＡＢ間の距離変化倍率は１００％であり、変化していない。また時刻ｔ６において、点Ａの移動量は１．１１８、点Ｂの移動量は２．２３６であり、指示位置ＡＢ間の距離変化倍率は２８５％と拡大している。
【０２１５】
尚、本発明は、上記実施形態の機能が実現できる範囲において、単一の機器からなる装置に適用しても、複数の機器（例えばコンピュータ本体、インターフェイス機器、ディスプレイなど）から構成されるシステムに適用してもよい。
【０２１６】
また、前述した実施形態の機能を実現するように各種デバイスを動作させることを目的として、該各種デバイスと接続された装置あるいはシステム内のコンピュータに、上述した実施形態の機能を実現するソフトウェアのプログラムコードを記憶した記憶媒体を供給し、装置あるいはシステム内のコンピュータが記憶媒体に格納されたプログラムコードを読み出して実行することによって達成してもよい。
【０２１７】
かかるプログラムコードを供給する為の記憶媒体としては、例えば、フロッピーディスク（登録商標）、ハードディスク、光ディスク、光磁気ディスク、ＣＤ−ＲＯＭ、ＣＤ−Ｒ、磁気テープ、不揮発性のメモリカード、ＲＯＭ等を使用できる。
【０２１８】
あるいは、通信回線を介して上記プログラムコードを外部から提供してもよい。
【０２１９】
更に、装置あるいはシステム内のコンピュータが記憶媒体に格納されたプログラムコードを読み出して実行することによって、上述した実施形態の機能を直接実現するばかりでなく、そのプログラムコードの指示に基づいて、コンピュータ上で稼動しているＯＳなどの処理により、上述の機能を実現される場合も含まれる。
【０２２０】
これらの場合、そのプログラムコードを記憶した記憶媒体及びプログラムコードそのものは本発明を構成することになる。
【図１】
0005665835.tif 000002
【図２】
0005665835.tif 000003
【図３】
0005665835.tif 000004
【図４】
0005665835.tif 000005
【図５】
0005665835.tif 000006
【図６】
0005665835.tif 000007
【図７】
0005665835.tif 000008
【図８】
0005665835.tif 000009
【図９】
0005665835.tif 000010
【図１０】
0005665835.tif 000011
【図１１】
0005665835.tif 000012
【図１２】
0005665835.tif 000013
【図１３】
0005665835.tif 000014
【図１４】
0005665835.tif 000015
【図１５】
0005665835.tif 000016
【図１６】
0005665835.tif 000017
【図１７】
0005665835.tif 000018
【図１８】
0005665835.tif 000019
【図１９】
0005665835.tif 000020
【図２０】
0005665835.tif 000021
【図２１】
0005665835.tif 000022
【図２２】
0005665835.tif 000023
【図２３】
0005665835.tif 000024
【図２４】
0005665835.tif 000025
【図２５】
0005665835.tif 000026
【図２６】
0005665835.tif 000027
【図２７】
0005665835.tif 000028
【図２８】
0005665835.tif 000029
【図２９】
0005665835.tif 000030
【図３０】
0005665835.tif 000031
【図３１】
0005665835.tif 000032
【図３２】
0005665835.tif 000033
【図３３】
0005665835.tif 000034
【図３４】
0005665835.tif 000035
【図３５】
0005665835.tif 000036
【図３６】
0005665835.tif 000037
【図３７】
0005665835.tif 000038
【図３８】
0005665835.tif 000039
【図３９】
0005665835.tif 000040
【図４０】
0005665835.tif 000041
【図４１】
0005665835.tif 000042
【図４２】
0005665835.tif 000043
【図４３】
0005665835.tif 000044
【図４４】
0005665835.tif 000045
【図４５】
0005665835.tif 000046
【図４６】
0005665835.tif 000047
【図４７】
0005665835.tif 000048
【図４８】
0005665835.tif 000049
【図４９】
0005665835.tif 000050
【図５０】
0005665835.tif 000051
【図５１】
0005665835.tif 000052
【図５２】
0005665835.tif 000053
【図５３】
0005665835.tif 000054
【図５４】
0005665835.tif 000055
【図５５】
0005665835.tif 000056
【図５６】
0005665835.tif 000057
【図５７】
0005665835.tif 000058
【図５８】
0005665835.tif 000059
【図５９】
0005665835.tif 000060
【図６０】
0005665835.tif 000061
【図６１】
0005665835.tif 000062
【図６２】
0005665835.tif 000063
【図６３】
0005665835.tif 000064
【図６４】
0005665835.tif 000065
【図６５】
0005665835.tif 000066
【図６６】
0005665835.tif 000067
【図６７】
0005665835.tif 000068
【図６８】
0005665835.tif 000069
【図６９】
0005665835.tif 000070
【図７０】
0005665835.tif 000071
【図７１】
0005665835.tif 000072
【図７２】
0005665835.tif 000073
【図７３】
0005665835.tif 000074
【図７４】
0005665835.tif 000075
【図７５】
0005665835.tif 000076
【図７６】
0005665835.tif 000077
【図７７】
0005665835.tif 000078
【図７８】
0005665835.tif 000079
【図７９】
0005665835.tif 000080
【図８０】
0005665835.tif 000081
【図８１】
0005665835.tif 000082
【図８２】
0005665835.tif 000083
【図８３】
0005665835.tif 000084
【図８４】
0005665835.tif 000085
【図８５】
0005665835.tif 000086
【図８６】
0005665835.tif 000087
【図８７】
0005665835.tif 000088
【図８８】
0005665835.tif 000089
【図８９】
0005665835.tif 000090
【図９０】
0005665835.tif 000091
【図９１】
0005665835.tif 000092
【図９２】
0005665835.tif 000093
【図９３】
0005665835.tif 000094
【図９４】
0005665835.tif 000095
【図９５】
0005665835.tif 000096
【図９６】
0005665835.tif 000097
【図９７】
0005665835.tif 000098
【図９８】
0005665835.tif 000099
【図９９】
0005665835.tif 000100
【図１００】
0005665835.tif 000101
【図１０１】
0005665835.tif 000102
【図１０２】
0005665835.tif 000103
【図１０３】
0005665835.tif 000104
【図１０４】
0005665835.tif 000105
【図１０５】
0005665835.tif 000106
【図１０６】
0005665835.tif 000107
【図１０７】
0005665835.tif 000108
【図１０８】
0005665835.tif 000109
【図１０９】
0005665835.tif 000110
【図１１０】
0005665835.tif 000111
【図１１１】
0005665835.tif 000112
【図１１２】
0005665835.tif 000113
【図１１３】
0005665835.tif 000114
【図１１４】
0005665835.tif 000115
【図１１５】
0005665835.tif 000116
【図１１６】
0005665835.tif 000117
【図１１７】
0005665835.tif 000118
【図１１８】
0005665835.tif 000119
【図１１９】
0005665835.tif 000120
【図１２０】
0005665835.tif 000121
【図１２１】
0005665835.tif 000122
【図１２２】
0005665835.tif 000123
【図１２３】
0005665835.tif 000124
【図１２４】
0005665835.tif 000125
【図１２５】
0005665835.tif 000126
【図１２６】
0005665835.tif 000127
【図１２７】
0005665835.tif 000128
【図１２８】
0005665835.tif 000129
【図１２９】
0005665835.tif 000130
【図１３０】
0005665835.tif 000131
【図１３１】
0005665835.tif 000132
【図１３２】
0005665835.tif 000133
【図１３３】
0005665835.tif 000134
【図１３４】
0005665835.tif 000135
【図１３５】
0005665835.tif 000136
【図１３６】
0005665835.tif 000137
【図１３７】
0005665835.tif 000138
【図１３８】
0005665835.tif 000139
【図１３９】
0005665835.tif 000140
【図１４０】
0005665835.tif 000141
【図１４１】
0005665835.tif 000142
【図１４２】
0005665835.tif 000143
【図１４３】
0005665835.tif 000144
【図１４４】
0005665835.tif 000145
【図１４５】
0005665835.tif 000146
【図１４６】
0005665835.tif 000147
【図１４７】
0005665835.tif 000148
【図１４８】
0005665835.tif 000149
【図１４９】
0005665835.tif 000150
【図１５０】
0005665835.tif 000151